(57)【要約】【課題】次世代の地上デジタル放送伝送方式においてＱＡＭが適用された場合の適切なビットインターリーブ処理を規定する。【解決手段】本発明に係る送信装置１は、入力されたＬＤＰＣ符号のＬＤＰＣパリティのみに対してインターリーブ処理を施すように構成されているパリティインターリーブ部１６１と、パリティインターリーブ部１６１から入力されたＬＤＰＣ符号全体に対してインターリーブ処理を施すように構成されているブロックインターリーブ部１６２と、ブロックインターリーブ部１６２から入力された所定単位のデータに対してテーブルを用いてインターリーブ処理を施すように構成されているキャリアシンボル内インターリーブ部１６３とを具備している。【選択図】図２
2019071599.tif 000002
【特許請求の範囲】
【請求項１】
信号を送信する送信装置であって、
送信データに対してＬＤＰＣ符号化処理を施してＬＤＰＣ符号を生成するように構成されているＬＤＰＣ符号化部と、
前記ＬＤＰＣ符号のＬＤＰＣパリティのみに対してインターリーブ処理を施すように構成されているパリティインターリーブ部と、
前記パリティインターリーブ部から入力されたＬＤＰＣ符号全体に対してインターリーブ処理を施すように構成されているブロックインターリーブ部と、
前記ブロックインターリーブ部から入力された所定単位のデータに対して、
【表１】
2019071599.tif 000032
に示すテーブルを用いて、インターリーブ処理を施すように構成されているキャリアシンボル内インターリーブ部とを具備しており、
前記テーブルにおいて、「ｉｎ」が前記キャリアシンボル内インターリーブ部に入力される前記所定単位のデータの各ビットであり、「ｏｕｔ」が前記キャリアシンボル内インターリーブ部によってインターリーブ処理が施された前記所定単位のデータの各ビットであり、
前記テーブルは、変調方式としてＵＣが適用されている４０９６ＱＡＭが用いられている場合で、且つ、符号化率ｒが８／１５に相当する場合において用いられることを特徴とする送信装置。
【請求項２】
請求項１に記載の送信装置から送信された信号を受信する受信装置であって、
前記送信データにおける所定単位のデータに対して、
【表１】
2019071599.tif 000033
に示すテーブルを用いて、デインターリーブ処理を施すように構成されているキャリアシンボル内デインターリーブ部と、
前記キャリアシンボル内デインターリーブ部から入力された所定単位のデータ全体に対してデインターリーブ処理を施すように構成されているブロックデインターリーブ部と、
前記ブロックデインターリーブ部から入力された所定単位のデータのＬＤＰＣパリティに対応する部分に対してのみデインターリーブ処理を施すように構成されているパリティデインターリーブ部とを具備しており、
前記テーブルにおいて、「ｏｕｔ」が前記キャリアシンボル内デインターリーブ部に入力される前記所定単位のデータの各ビットであり、「ｉｎ」が前記キャリアシンボル内デインターリーブ部によってデインターリーブ処理が施された前記所定単位のデータの各ビットであり、
前記テーブルは、変調方式としてＵＣが適用されている４０９６ＱＡＭが用いられている場合で、且つ、符号化率ｒが８／１５に相当する場合において用いられることを特徴とする受信装置。
【請求項３】
信号を送信する送信装置であって、
送信データに対してＬＤＰＣ符号化処理を施してＬＤＰＣ符号を生成するように構成されているＬＤＰＣ符号化部と、
前記ＬＤＰＣ符号のＬＤＰＣパリティのみに対してインターリーブ処理を施すように構成されているパリティインターリーブ部と、
前記パリティインターリーブ部から入力されたＬＤＰＣ符号全体に対してインターリーブ処理を施すように構成されているブロックインターリーブ部と、
前記ブロックインターリーブ部から入力された所定単位のデータに対して、
【表２】
2019071599.tif 000034
に示すテーブルを用いて、インターリーブ処理を施すように構成されているキャリアシンボル内インターリーブ部とを具備しており、
前記テーブルにおいて、「ｉｎ」が前記キャリアシンボル内インターリーブ部に入力される前記所定単位のデータの各ビットであり、「ｏｕｔ」が前記キャリアシンボル内インターリーブ部によってインターリーブ処理が施された前記所定単位のデータの各ビットであり、
前記テーブルは、変調方式としてＵＣが適用されている４０９６ＱＡＭが用いられている場合で、且つ、符号化率ｒが１０／１５に相当する場合において用いられることを特徴とする送信装置。
【請求項４】
請求項３に記載の送信装置から送信された信号を受信する受信装置であって、
前記送信データにおける所定単位のデータに対して、
【表２】
2019071599.tif 000035
に示すテーブルを用いて、デインターリーブ処理を施すように構成されているキャリアシンボル内デインターリーブ部と、
前記キャリアシンボル内デインターリーブ部から入力された所定単位のデータ全体に対してデインターリーブ処理を施すように構成されているブロックデインターリーブ部と、
前記ブロックデインターリーブ部から入力された所定単位のデータのＬＤＰＣパリティに対応する部分に対してのみデインターリーブ処理を施すように構成されているパリティデインターリーブ部とを具備しており、
前記テーブルにおいて、「ｏｕｔ」が前記キャリアシンボル内デインターリーブ部に入力される前記所定単位のデータの各ビットであり、「ｉｎ」が前記キャリアシンボル内デインターリーブ部によってデインターリーブ処理が施された前記所定単位のデータの各ビットであり、
前記テーブルは、変調方式としてＵＣが適用されている４０９６ＱＡＭが用いられている場合で、且つ、符号化率ｒが１０／１５に相当する場合において用いられることを特徴とする受信装置。
【請求項５】
コンピュータを、請求項１又は３に記載の送信装置として機能させるためのプログラムを実行するプロセッサによって構成されるチップ。
【請求項６】
コンピュータを、請求項２又は４に記載の受信装置として機能させるためのプログラムを実行するプロセッサによって構成されるチップ。
【発明の詳細な説明】
【技術分野】
【０００１】
本発明は、送信装置、受信装置及びチップに関する。
【背景技術】
【０００２】
現在、現行の地上デジタル放送伝送方式に代わる新たな次世代の地上デジタル放送伝送方式の検討が進められている。
【０００３】
次世代の衛星デジタル放送伝送方式の規格であるＡＲＩＢ  ＳＴＤ−Ｂ４４では、変調方式として、π／２シフトＢＰＳＫ（Ｂｉｎａｒｙ  Ｐｈａｓｅ  Ｓｈｉｆｔ  Ｋｅｙｉｎｇ）、ＱＰＳＫ（Ｑｕａｄｒａｔｕｒｅ  Ｐｈａｓｅ  Ｓｈｉｆｔ  Ｋｅｙｉｎｇ）、８ＰＳＫ（Ａｍｐｌｉｔｕｄｅ  Ｐｈａｓｅ  Ｓｈｉｆｔ  Ｋｅｙｉｎｇ）、１６ＡＰＳＫ、３２ＡＰＳＫが規定されており、８ＰＳＫ以上の変調方式を適用した場合のビットインターリーブ処理が規定されている（非特許文献１参照）。
【先行技術文献】
【非特許文献】
【０００４】
【非特許文献１】高度広帯域衛星デジタル放送の伝送方式標準規格、ＡＲＩＢ  ＳＴＤ−Ｂ４４
【発明の概要】
【発明が解決しようとする課題】
【０００５】
しかしながら、ＡＲＩＢ  ＳＴＤ−Ｂ４４では、変調方式として、ＱＡＭ（Ｑｕａｄｒａｔｕｒｅ  Ａｍｐｌｉｔｕｄｅ  Ｍｏｄｕｌａｔｉｏｎ）、例えば、１６ＱＡＭや６４ＱＡＭ等が規定されていないため、これらの変調方式を適用した場合のビットインターリーブ処理が規定されていないという問題点があった。
【０００６】
そこで、本発明は、上述した課題を解決するためになされたものであり、次世代の地上デジタル放送伝送方式においてＱＡＭが適用された場合の適切なビットインターリーブ処理を規定することができる送信装置、受信装置及びチップを提供することを目的とする。
【課題を解決するための手段】
【０００７】
本発明の第１の特徴は、信号を送信する送信装置であって、送信データに対してＬＤＰＣ符号化処理を施してＬＤＰＣ符号を生成するように構成されているＬＤＰＣ符号化部と、入力されたＬＤＰＣ符号のＬＤＰＣパリティのみに対してインターリーブ処理を施すように構成されているパリティインターリーブ部と、前記パリティインターリーブ部から入力されたＬＤＰＣ符号全体に対してインターリーブ処理を施すように構成されているブロックインターリーブ部と、前記ブロックインターリーブ部から入力された所定単位のデータに対して、
【表１】
2019071599.tif 000003
に示すテーブルを用いて、インターリーブ処理を施すように構成されているキャリアシンボル内インターリーブ部とを具備しており、前記テーブルにおいて、「ｉｎ」が前記キャリアシンボル内インターリーブ部に入力される前記所定単位のデータの各ビットであり、「ｏｕｔ」が前記キャリアシンボル内インターリーブ部によってインターリーブ処理が施された前記所定単位のデータの各ビットであり、前記テーブルは、変調方式としてＵＣが適用されている４０９６ＱＡＭが用いられている場合で、且つ、符号化率ｒが８／１５に相当する場合において用いられることを要旨とする。
【０００８】
本発明の第２の特徴は、上述の第１の特徴に係る送信装置から送信された信号を受信する受信装置であって、前記送信データにおける所定単位のデータに対して、
【表１】
2019071599.tif 000004
に示すテーブルを用いて、デインターリーブ処理を施すように構成されているキャリアシンボル内デインターリーブ部と、前記キャリアシンボル内デインターリーブ部から入力された所定単位のデータ全体に対してデインターリーブ処理を施すように構成されているブロックデインターリーブ部と、前記ブロックデインターリーブ部から入力された所定単位のデータのＬＤＰＣパリティに対応する部分に対してのみデインターリーブ処理を施すように構成されているパリティデインターリーブ部とを具備しており、前記テーブルにおいて、「ｏｕｔ」が前記キャリアシンボル内デインターリーブ部に入力される前記所定単位のデータの各ビットであり、「ｉｎ」が前記キャリアシンボル内デインターリーブ部によってデインターリーブ処理が施された前記所定単位のデータの各ビットであり、前記テーブルは、変調方式としてＵＣが適用されている４０９６ＱＡＭが用いられている場合で、且つ、符号化率ｒが８／１５に相当する場合において用いられることを要旨とする。
【０００９】
本発明の第３の特徴は、信号を送信する送信装置であって、送信データに対してＬＤＰＣ符号化処理を施してＬＤＰＣ符号を生成するように構成されているＬＤＰＣ符号化部と、前記ＬＤＰＣ符号のＬＤＰＣパリティのみに対してインターリーブ処理を施すように構成されているパリティインターリーブ部と、前記パリティインターリーブ部から入力されたＬＤＰＣ符号全体に対してインターリーブ処理を施すように構成されているブロックインターリーブ部と、前記ブロックインターリーブ部から入力された所定単位のデータに対して、
【表２】
2019071599.tif 000005
に示すテーブルを用いて、インターリーブ処理を施すように構成されているキャリアシンボル内インターリーブ部とを具備しており、前記テーブルにおいて、「ｉｎ」が前記キャリアシンボル内インターリーブ部に入力される前記所定単位のデータの各ビットであり、「ｏｕｔ」が前記キャリアシンボル内インターリーブ部によってインターリーブ処理が施された前記所定単位のデータの各ビットであり、前記テーブルは、変調方式としてＵＣが適用されている４０９６ＱＡＭが用いられている場合で、且つ、符号化率ｒが１０／１５に相当する場合において用いられることを要旨とする。
【００１０】
本発明の第４の特徴は、上述の第３の特徴に係る送信装置から送信された信号を受信する受信装置であって、前記送信データにおける所定単位のデータに対して、
【表２】
2019071599.tif 000006
に示すテーブルを用いて、デインターリーブ処理を施すように構成されているキャリアシンボル内デインターリーブ部と、前記キャリアシンボル内デインターリーブ部から入力された所定単位のデータ全体に対してデインターリーブ処理を施すように構成されているブロックデインターリーブ部と、前記ブロックデインターリーブ部から入力された所定単位のデータのＬＤＰＣパリティに対応する部分に対してのみデインターリーブ処理を施すように構成されているパリティデインターリーブ部とを具備しており、前記テーブルにおいて、「ｏｕｔ」が前記キャリアシンボル内デインターリーブ部に入力される前記所定単位のデータの各ビットであり、「ｉｎ」が前記キャリアシンボル内デインターリーブ部によってデインターリーブ処理が施された前記所定単位のデータの各ビットであり、前記テーブルは、変調方式としてＵＣが適用されている４０９６ＱＡＭが用いられている場合で、且つ、符号化率ｒが１０／１５に相当する場合において用いられることを要旨とする。
【００１１】
本発明の第５の特徴は、コンピュータを、上述の第１又は第３の特徴に記載の送信装置として機能させるためのプログラムを実行するプロセッサによって構成されるチップであることを要旨とする。
【００１２】
本発明の第６の特徴は、コンピュータを、上述の第２又は第４の特徴に記載の受信装置として機能させるためのプログラムを実行するプロセッサによって構成されるチップであることを要旨とする。
【発明の効果】
【００１３】
本発明によれば、次世代の地上デジタル放送伝送方式においてＱＡＭが適用された場合の適切なビットインターリーブ処理を規定することができる送信装置、受信装置及びチップを提供することができる。
【図面の簡単な説明】
【００１４】
【図１】一実施形態に係る送信装置１の機能ブロック図の一例である。
【図２】一実施形態に係る送信装置１のビットインターリーブ部１６ａ／１６ｂの機能ブロック図の一例である。
【図３】一実施形態に係る送信装置１のビットインターリーブ部１６ａ／１６ｂのパリティインターリーブ部１６１及びブロックインターリーブ部１６２の動作の一例を説明するための図である。
【図４】一実施形態に係る送信装置１のビットインターリーブ部１６ａ／１６ｂのキャリアシンボル内インターリーブ部１６３の動作の一例を説明するための図である。
【図５】一実施形態に係るビットインターリーブで用いられるテーブルの一例を示す図である。
【図６】一実施形態に係るビットインターリーブで用いられるテーブルの一例を示す図である。
【図７】一実施形態に係るビットインターリーブで用いられるテーブルの一例を示す図である。
【図８】一実施形態に係るビットインターリーブで用いられるテーブルの一例を示す図である。
【図９】一実施形態に係るビットインターリーブで用いられるテーブルの一例を示す図である。
【図１０】一実施形態に係るビットインターリーブで用いられるテーブルの一例を示す図である。
【図１１】一実施形態に係るビットインターリーブで用いられるテーブルの一例を示す図である。
【図１２】一実施形態に係るビットインターリーブで用いられるテーブルの一例を示す図である。
【図１３】一実施形態に係るビットインターリーブで用いられるテーブルの一例を示す図である。
【図１４】一実施形態に係るビットインターリーブで用いられるテーブルの一例を示す図である。
【図１５】一実施形態に係るビットインターリーブで用いられるテーブルの一例を示す図である。
【図１６】一実施形態に係るビットインターリーブで用いられるテーブルの一例を示す図である。
【図１７】一実施形態に係るビットインターリーブで用いられるテーブルの一例を示す図である。
【図１８】一実施形態に係るビットインターリーブで用いられるテーブルの一例を示す図である。
【図１９】一実施形態に係るビットインターリーブで用いられるテーブルの一例を示す図である。
【図２０】一実施形態に係るビットインターリーブで用いられるテーブルの一例を示す図である。
【図２１】一実施形態に係るビットインターリーブで用いられるテーブルの一例を示す図である。
【図２２】一実施形態に係るビットインターリーブで用いられるテーブルの一例を示す図である。
【図２３】一実施形態に係るビットインターリーブで用いられるテーブルの一例を示す図である。
【図２４】一実施形態に係るビットインターリーブで用いられるテーブルの一例を示す図である。
【図２５】一実施形態に係るビットインターリーブで用いられるテーブルの一例を示す図である。
【図２６】一実施形態に係るビットインターリーブで用いられるテーブルの一例を示す図である。
【図２７】一実施形態に係るビットインターリーブで用いられるテーブルの一例を示す図である。
【図２８】一実施形態に係るビットインターリーブで用いられるテーブルの一例を示す図である。
【図２９】一実施形態に係るビットインターリーブで用いられるテーブルの一例を示す図である。
【図３０】一実施形態に係るビットインターリーブで用いられるテーブルの一例を示す図である。
【図３１】一実施形態に係るビットインターリーブで用いられるテーブルの一例を示す図である。
【図３２】一実施形態に係るビットインターリーブで用いられるテーブルの一例を示す図である。
【図３３】一実施形態に係るビットインターリーブで用いられるテーブルの一例を示す図である。
【図３４】一実施形態に係るビットインターリーブで用いられるテーブルの一例を示す図である。
【図３５】一実施形態に係るビットインターリーブで用いられるテーブルの一例を示す図である。
【図３６】一実施形態に係るビットインターリーブで用いられるテーブルの一例を示す図である。
【図３７】一実施形態に係るビットインターリーブで用いられるテーブルの一例を示す図である。
【図３８】一実施形態に係るビットインターリーブで用いられるテーブルの一例を示す図である。
【図３９】一実施形態に係るビットインターリーブで用いられるテーブルの一例を示す図である。
【図４０】一実施形態に係るビットインターリーブで用いられるテーブルの一例を示す図である。
【図４１】一実施形態に係るビットインターリーブで用いられるテーブルの一例を示す図である。
【図４２】一実施形態に係るビットインターリーブで用いられるテーブルの一例を示す図である。
【図４３】一実施形態に係るビットインターリーブで用いられるテーブルの一例を示す図である。
【図４４】一実施形態に係るビットインターリーブで用いられるテーブルの一例を示す図である。
【図４５】一実施形態に係るビットインターリーブで用いられるテーブルの一例を示す図である。
【図４６】一実施形態に係るビットインターリーブで用いられるテーブルの一例を示す図である。
【図４７】一実施形態に係るビットインターリーブで用いられるテーブルの一例を示す図である。
【図４８】一実施形態に係るビットインターリーブで用いられるテーブルの一例を示す図である。
【図４９】一実施形態に係るビットインターリーブで用いられるテーブルの一例を示す図である。
【図５０】一実施形態に係るビットインターリーブで用いられるテーブルの一例を示す図である。
【図５１】一実施形態に係るビットインターリーブで用いられるテーブルの一例を示す図である。
【図５２】一実施形態に係るビットインターリーブで用いられるテーブルの一例を示す図である。
【図５３】一実施形態に係るビットインターリーブで用いられるテーブルの一例を示す図である。
【図５４】一実施形態に係るビットインターリーブで用いられるテーブルの一例を示す図である。
【図５５】一実施形態に係るビットインターリーブで用いられるテーブルの一例を示す図である。
【図５６】一実施形態に係るビットインターリーブで用いられるテーブルの一例を示す図である。
【図５７】一実施形態に係るビットインターリーブで用いられるテーブルの一例を示す図である。
【図５８】一実施形態に係るビットインターリーブで用いられるテーブルの一例を示す図である。
【図５９】一実施形態に係るビットインターリーブで用いられるテーブルの一例を示す図である。
【図６０】一実施形態に係るビットインターリーブで用いられるテーブルの一例を示す図である。
【図６１】一実施形態に係るビットインターリーブで用いられるテーブルの一例を示す図である。
【図６２】一実施形態に係るビットインターリーブで用いられるテーブルの一例を示す図である。
【図６３】一実施形態に係るビットインターリーブで用いられるテーブルの一例を示す図である。
【図６４】一実施形態に係るビットインターリーブで用いられるテーブルの一例を示す図である。
【図６５】一実施形態に係るビットインターリーブで用いられるテーブルの一例を示す図である。
【図６６】一実施形態に係るビットインターリーブで用いられるテーブルの一例を示す図である。
【図６７】一実施形態に係るビットインターリーブで用いられるテーブルの一例を示す図である。
【図６８】一実施形態に係るビットインターリーブで用いられるテーブルの一例を示す図である。
【図６９】一実施形態に係るビットインターリーブで用いられるテーブルの一例を示す図である。
【図７０】一実施形態に係るビットインターリーブで用いられるテーブルの一例を示す図である。
【図７１】一実施形態に係るビットインターリーブで用いられるテーブルの一例を示す図である。
【図７２】一実施形態に係るビットインターリーブで用いられるテーブルの一例を示す図である。
【図７３】一実施形態に係るビットインターリーブで用いられるテーブルの一例を示す図である。
【図７４】一実施形態に係るビットインターリーブで用いられるテーブルの一例を示す図である。
【図７５】一実施形態に係るビットインターリーブで用いられるテーブルの一例を示す図である。
【図７６】一実施形態に係るビットインターリーブで用いられるテーブルの一例を示す図である。
【図７７】一実施形態に係るビットインターリーブで用いられるテーブルの一例を示す図である。
【図７８】一実施形態に係るビットインターリーブで用いられるテーブルの一例を示す図である。
【図７９】一実施形態に係るビットインターリーブで用いられるテーブルの一例を示す図である。
【図８０】一実施形態に係るビットインターリーブで用いられるテーブルの一例を示す図である。
【図８１】一実施形態に係るビットインターリーブで用いられるテーブルの一例を示す図である。
【図８２】一実施形態に係るビットインターリーブで用いられるテーブルの一例を示す図である。
【図８３】一実施形態に係るビットインターリーブで用いられるテーブルの一例を示す図である。
【図８４】一実施形態に係るビットインターリーブで用いられるテーブルの一例を示す図である。
【図８５】一実施形態に係る受信装置３の機能ブロック図の一例である。
【図８６】一実施形態に係る受信装置３のビットデインターリーブ部３５ａ／３５ｂの機能ブロック図の一例である。
【図８７】一実施形態に係る送信装置１によってマッピングされる各信号点の配置の一例を示す図である。
【図８８】一実施形態に係る送信装置１によってマッピングされる各信号点の配置の一例を示す図である。
【図８９】一実施形態に係る送信装置１によってマッピングされる各信号点の配置の一例を示す図である。
【図９０】一実施形態に係る送信装置１によってマッピングされる各信号点の配置の一例を示す図である。
【図９１】一実施形態に係る送信装置１によってマッピングされる各信号点の配置の一例を示す図である。
【図９２】一実施形態に係る送信装置１によってマッピングされる各信号点の配置の一例を示す図である。
【図９３】一実施形態に係る送信装置１によってマッピングされる各信号点の配置の一例を示す図である。
【図９４】一実施形態に係る送信装置１によってマッピングされる各信号点の配置の一例を示す図である。
【図９５】一実施形態に係る送信装置１によってマッピングされる各信号点の配置の一例を示す図である。
【図９６】一実施形態に係る送信装置１によってマッピングされる各信号点の配置の一例を示す図である。
【図９７】一実施形態に係る送信装置１によってマッピングされる各信号点の配置の一例を示す図である。
【図９８】一実施形態に係る送信装置１によってマッピングされる各信号点の配置の一例を示す図である。
【図９９】一実施形態に係る送信装置１によってマッピングされる各信号点の配置の一例を示す図である。
【図１００】一実施形態に係る送信装置１によってマッピングされる各信号点の配置の一例を示す図である。
【図１０１】一実施形態に係る送信装置１によってマッピングされる各信号点の配置の一例を示す図である。
【図１０２】一実施形態に係る送信装置１によってマッピングされる各信号点の配置の一例を示す図である。
【図１０３】一実施形態に係る送信装置１によってマッピングされる各信号点の配置の一例を示す図である。
【図１０４】一実施形態に係る送信装置１によってマッピングされる各信号点の配置の一例を示す図である。
【図１０５】一実施形態に係る送信装置１によってマッピングされる各信号点の配置の一例を示す図である。
【図１０６】一実施形態に係る送信装置１によってマッピングされる各信号点の配置の一例を示す図である。
【図１０７】一実施形態に係る送信装置１によってマッピングされる各信号点の配置の一例を示す図である。
【図１０８】一実施形態に係る送信装置１によってマッピングされる各信号点の配置の一例を示す図である。
【図１０９】一実施形態に係る送信装置１によってマッピングされる各信号点の配置の一例を示す図である。
【図１１０】一実施形態に係る送信装置１によってマッピングされる各信号点の配置の一例を示す図である。
【図１１１】一実施形態に係る送信装置１によってマッピングされる各信号点の配置の一例を示す図である。
【図１１２】一実施形態に係る送信装置１によってマッピングされる各信号点の配置の一例を示す図である。
【図１１３】一実施形態に係る送信装置１によってマッピングされる各信号点の配置の一例を示す図である。
【図１１４】一実施形態に係る送信装置１によってマッピングされる各信号点の配置の一例を示す図である。
【図１１５】一実施形態に係るビットインターリーブの効果を示すグラフである。
【図１１６】一実施形態に係るビットインターリーブの効果を示すグラフである。
【図１１７】一実施形態に係るビットインターリーブの効果を示すグラフである。
【図１１８】一実施形態に係るビットインターリーブの効果を示すグラフである。
【図１１９】一実施形態に係るビットインターリーブの効果を示すグラフである。
【図１２０】一実施形態に係るビットインターリーブの効果を示すグラフである。
【図１２１】一実施形態に係るビットインターリーブの効果を示すグラフである。
【図１２２】一実施形態に係るビットインターリーブの効果を示すグラフである。
【図１２３】一実施形態に係るビットインターリーブの効果を示すグラフである。
【図１２４】一実施形態に係るビットインターリーブの効果を示すグラフである。
【図１２５】一実施形態に係るビットインターリーブの効果を示すグラフである。
【図１２６】一実施形態に係るビットインターリーブの効果を示すグラフである。
【図１２７】一実施形態に係るビットインターリーブの効果を示すグラフである。
【図１２８】一実施形態に係るビットインターリーブの効果を示すグラフである。
【図１２９】一実施形態に係るビットインターリーブの効果を示すグラフである。
【図１３０】一実施形態に係るビットインターリーブの効果を示すグラフである。
【図１３１】一実施形態に係るビットインターリーブの効果を示すグラフである。
【図１３２】一実施形態に係るビットインターリーブの効果を示すグラフである。
【図１３３】一実施形態に係るビットインターリーブの効果を示すグラフである。
【図１３４】一実施形態に係るビットインターリーブの効果を示すグラフである。
【発明を実施するための形態】
【００１５】
以下、図１〜図１３４を参照して、本発明の一実施形態に係る放送システムについて説明する。本実施形態に係る放送システムは、上述の次世代の地上デジタル放送伝送方式に対応するように構成されており、例えば、図１に示す送信装置１及び図８５に示す受信装置３を具備する。
【００１６】
本実施形態に係る送信装置１は、２階層までの階層伝送を行うように構成されている。具体的には、本実施形態に係る送信装置１は、Ａ階層データ及びＢ階層データを送信することができるように構成されている。例えば、Ａ階層データは、移動受信向けの放送用データであり、Ｂ階層データは、固定受信向けの放送用データであることが想定されている。
【００１７】
なお、本実施形態に係る送信装置１は、Ａ階層データ及びＢ階層データを部分受信帯域データ及び非部分受信帯域データを含むＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）信号によって送信するように構成されている。
【００１８】
図１に示すように、本実施形態に係る送信装置１は、フレームヘッダ分離部１１ａ、１１ｂと、ＦＥＣブロック変換部１２ａ、１２ｂと、エネルギー拡散部１３ａ、１３ｂと、ＢＣＨ符号化部１４ａ、１４ｂと、ＬＤＰＣ符号化部１５ａ、１５ｂと、ビットインターリーブ部１６ａ、１６ｂと、フレームヘッダ挿入部１７ａ、１７ｂと、マッピング部１８ａ、１８ｂと、レベル調整部１９ａ、１９ｂと、フレームヘッダ符号化部２０ａ、２０ｂと、階層合成部２１とを具備している。
【００１９】
フレームヘッダ分離部１１ａは、Ａ階層データを含むフレームのヘッダを分離するように構成されている。
【００２０】
フレームヘッダ符号化部２０ａは、フレームヘッダ分離部１１ａによって分離されたフレームのヘッダに対して符号化処理を施すように構成されている。
【００２１】
ＦＥＣブロック変換部１２ａは、フレームヘッダ分離部１１ａから出力されたＡ階層データをＦＥＣ（Ｆｏｒｗａｒｄ  Ｅｒｒｏｒ  Ｃｏｒｒｅｃｔｉｏｎ）ブロックに変換するように構成されている。
【００２２】
エネルギー拡散部１３ａは、ＦＥＣブロック変換部１２ａから出力されたＦＥＣブロックに対してエネルギー拡散処理を施すように構成されている。
【００２３】
ＢＣＨ符号化部１４ａは、エネルギー拡散部１３ａからの出力に対してＢＣＨ符号を用いた符号化処理を施すように構成されている。
【００２４】
ＬＤＰＣ符号化部１５ａは、ＢＣＨ符号化部１４ａからの出力に対してＬＤＰＣ符号を用いた符号化処理を施すように構成されている。具体的には、ＬＤＰＣ符号化部１５ａは、送信データに対してＬＤＰＣ符号化処理を施してＬＤＰＣ符号を生成するように構成されている。
【００２５】
ビットインターリーブ部１６ａは、ＬＤＰＣ符号化部１５ａからの出力に対してビットインターリーブ処理を施すように構成されている。
【００２６】
上述したように、フレームヘッダ分離部１１ａ、フレームヘッダ符号化部２０ａ、ＦＥＣブロック変換部１２ａ、エネルギー拡散部１３ａ、ＢＣＨ符号化部１４ａは、Ａ階層について処理を行う。
【００２７】
同様に、フレームヘッダ分離部１１ｂ、フレームヘッダ符号化部２０ｂ、ＦＥＣブロック変換部１２ｂ、エネルギー拡散部１３ｂ、ＢＣＨ符号化部１４ｂは、Ｂ階層について処理を行うが、処理内容は、Ａ階層についての処理と同様であるため、説明を省略する。
【００２８】
具体的には、図２に示すように、ビットインターリーブ部１６ａ／１６ｂは、それぞれ、パリティインターリーブ部１６１と、ブロックインターリーブ部１６２と、キャリアシンボル内インターリーブ部１６３とを具備している。
【００２９】
パリティインターリーブ部１６１は、図３（ａ）に示すように、ＬＤＰＣ符号化部１５ａ／１５ｂから入力されたＬＤＰＣ符号のＬＤＰＣパリティのみに対してインターリーブ処理を施すように構成されている。図３（ａ）中で示すパラメータＭは、並列処理数を表し、非特許文献１では、Ｍ＝３７４である。また、パラメータｑは、符号化率に応じて決まる定数を示し、非特許文献１では、３．４節（２）に示される値である。
【００３０】
なお、ＬＤＰＣ符号化部１５ａ／１５ｂ及びパリティインターリーブ部１６１は、ハードウエア上、纏めて実現されるように構成されていてもよい。
【００３１】
ブロックインターリーブ部１６２は、図３（ｂ）に示すように、パリティインターリーブ部１６１から入力されたＬＤＰＣ符号全体に対してインターリーブ処理を施すように構成されている。
【００３２】
なお、各変調方式では、１つのシンボルを構成するビット数が異なる。かかるビット数を変調多値数という。１６ＱＡＭにおける変調多値数は「４」であり、６４ＱＡＭにおける変調多値数は「６」であり、２５６ＱＡＭにおける変調多値数は「８」であり、１０２４ＱＡＭにおける変調多値数は「１０」であり、４０９６ＱＡＭにおける変調多値数は「１２」である。
【００３３】
キャリアシンボル内インターリーブ部１６３は、図４に示すように、ブロックインターリーブ部１６２から入力された所定単位のデータに対してインターリーブ処理を施すように構成されている。
【００３４】
具体的には、キャリアシンボル内インターリーブ部１６３は、変調方式ごと且つ符号化率ごとで異なるテーブルを用いて、インターリービング処理（並び替え）を行うように構成されている。
【００３５】
また、キャリアシンボル内インターリーブ部１６３は、同一の変調方式において、ＵＣ（Ｕｎｉｆｏｒｍ  Ｃｏｎｓｔｅｌｌａｔｉｏｎ）が適用されている場合とＮＵＣ（Ｎｏｎ  Ｕｎｉｆｏｒｍ  Ｃｏｎｓｔｅｌｌａｔｉｏｎ）が適用されている場合とで、別のテーブルを用いるように構成されていてもよい。ここで、ＵＣが適用されている場合、ＱＡＭの信号点の配置が均一にされており、ＮＵＣが適用されている場合、ＱＡＭの信号点の配置が不均一にされている。
【００３６】
以下、キャリアシンボル内インターリーブ部１６３が、全ての変調方式における変調多値数の公倍数である１２０ビット単位のデータに対してインターリーブ処理を施すケースを例に挙げて説明する。
【００３７】
なお、図５〜図８４に示すテーブルにおいて、「ｉｎ」がキャリアシンボル内インターリーブ部１６３に入力される所定単位のデータの各ビットであり、「ｏｕｔ」がキャリアシンボル内インターリーブ部１６１によってインターリーブ処理が施された所定単位のデータの各ビットである（図４参照）。
【００３８】
変調方式としてＵＣが適用されている１６ＱＡＭが用いられている場合で、且つ、符号化率ｒが５／１５である場合、例えば、キャリアシンボル内インターリーブ部１６３は、図５に示すテーブルを用いて、１２０ビット単位のデータに対してインターリーブ処理を施すように構成されている。ここで、「符号化率ｒ＝５／１５」は公称符号化率であり、ＡＲＩＢ  ＳＴＤ−Ｂ４４においては「符号化率ｒ＝４１／１２０」と表記される。よって、「符号化率ｒ＝５／１５」はＡＲＩＢ  ＳＴＤ−Ｂ４４の「符号化率ｒ＝４１／１２０」と同一とみなすことができる。
【００３９】
変調方式としてＵＣが適用されている１６ＱＡＭが用いられている場合で、且つ、符号化率ｒが６／１５（ＡＲＩＢ  ＳＴＤ−Ｂ４４における符号化率ｒ＝４９／１２０と同一）である場合、例えば、キャリアシンボル内インターリーブ部１６３は、図６に示すテーブルを用いて、１２０ビット単位のデータに対してインターリーブ処理を施すように構成されている。
【００４０】
変調方式としてＵＣが適用されている１６ＱＡＭが用いられている場合で、且つ、符号化率ｒが８／１５（ＡＲＩＢ  ＳＴＤ−Ｂ４４における符号化率ｒ＝６１／１２０と同一）である場合、例えば、キャリアシンボル内インターリーブ部１６３は、図７に示すテーブルを用いて、１２０ビット単位のデータに対してインターリーブ処理を施すように構成されている。
【００４１】
変調方式としてＵＣが適用されている１６ＱＡＭが用いられている場合で、且つ、符号化率ｒが９／１５（ＡＲＩＢ  ＳＴＤ−Ｂ４４における符号化率ｒ＝７３／１２０と同一）である場合、例えば、キャリアシンボル内インターリーブ部１６３は、図８に示すテーブルを用いて、１２０ビット単位のデータに対してインターリーブ処理を施すように構成されている。
【００４２】
変調方式としてＵＣが適用されている１６ＱＡＭが用いられている場合で、且つ、符号化率ｒが１０／１５（ＡＲＩＢ  ＳＴＤ−Ｂ４４における符号化率ｒ＝８１／１２０と同一）である場合、例えば、キャリアシンボル内インターリーブ部１６３は、図９に示すテーブルを用いて、１２０ビット単位のデータに対してインターリーブ処理を施すように構成されている。
【００４３】
変調方式としてＵＣが適用されている１６ＱＡＭが用いられている場合で、且つ、符号化率ｒが１１／１５（ＡＲＩＢ  ＳＴＤ−Ｂ４４における符号化率ｒ＝８９／１２０と同一）である場合、例えば、キャリアシンボル内インターリーブ部１６３は、図１０に示すテーブルを用いて、１２０ビット単位のデータに対してインターリーブ処理を施すように構成されている。
【００４４】
変調方式としてＵＣが適用されている１６ＱＡＭが用いられている場合で、且つ、符号化率ｒが１２／１５（ＡＲＩＢ  ＳＴＤ−Ｂ４４における符号化率ｒ＝９７／１２０と同一）である場合、例えば、キャリアシンボル内インターリーブ部１６３は、図１１に示すテーブルを用いて、１２０ビット単位のデータに対してインターリーブ処理を施すように構成されている。
【００４５】
変調方式としてＵＣが適用されている１６ＱＡＭが用いられている場合で、且つ、符号化率ｒが１３／１５（ＡＲＩＢ  ＳＴＤ−Ｂ４４における符号化率ｒ＝１０５／１２０と同一）である場合、例えば、キャリアシンボル内インターリーブ部１６３は、図１２に示すテーブルを用いて、１２０ビット単位のデータに対してインターリーブ処理を施すように構成されている。
【００４６】
変調方式としてＮＵＣが適用されている１６ＱＡＭが用いられている場合で、且つ、符号化率ｒが５／１５（ＡＲＩＢ  ＳＴＤ−Ｂ４４における符号化率ｒ＝４１／１２０と同一）である場合、例えば、キャリアシンボル内インターリーブ部１６３は、図１３に示すテーブルを用いて、１２０ビット単位のデータに対してインターリーブ処理を施すように構成されている。
【００４７】
変調方式としてＮＵＣが適用されている１６ＱＡＭが用いられている場合で、且つ、符号化率ｒが６／１５（ＡＲＩＢ  ＳＴＤ−Ｂ４４における符号化率ｒ＝４９／１２０と同一）である場合、例えば、キャリアシンボル内インターリーブ部１６３は、図１４に示すテーブルを用いて、１２０ビット単位のデータに対してインターリーブ処理を施すように構成されている。
【００４８】
変調方式としてＮＵＣが適用されている１６ＱＡＭが用いられている場合で、且つ、符号化率ｒが８／１５（ＡＲＩＢ  ＳＴＤ−Ｂ４４における符号化率ｒ＝６１／１２０と同一）である場合、例えば、キャリアシンボル内インターリーブ部１６３は、図１５に示すテーブルを用いて、１２０ビット単位のデータに対してインターリーブ処理を施すように構成されている。
【００４９】
変調方式としてＮＵＣが適用されている１６ＱＡＭが用いられている場合で、且つ、符号化率ｒが９／１５（ＡＲＩＢ  ＳＴＤ−Ｂ４４における符号化率ｒ＝７３／１２０と同一）である場合、例えば、キャリアシンボル内インターリーブ部１６３は、図１６に示すテーブルを用いて、１２０ビット単位のデータに対してインターリーブ処理を施すように構成されている。
【００５０】
変調方式としてＮＵＣが適用されている１６ＱＡＭが用いられている場合で、且つ、符号化率ｒが１０／１５（ＡＲＩＢ  ＳＴＤ−Ｂ４４における符号化率ｒ＝８１／１２０と同一）である場合、例えば、キャリアシンボル内インターリーブ部１６３は、図１７に示すテーブルを用いて、１２０ビット単位のデータに対してインターリーブ処理を施すように構成されている。
【００５１】
変調方式としてＮＵＣが適用されている１６ＱＡＭが用いられている場合で、且つ、符号化率ｒが１１／１５（ＡＲＩＢ  ＳＴＤ−Ｂ４４における符号化率ｒ＝８９／１２０と同一）である場合、例えば、キャリアシンボル内インターリーブ部１６３は、図１８に示すテーブルを用いて、１２０ビット単位のデータに対してインターリーブ処理を施すように構成されている。
【００５２】
変調方式としてＮＵＣが適用されている１６ＱＡＭが用いられている場合で、且つ、符号化率ｒが１２／１５（ＡＲＩＢ  ＳＴＤ−Ｂ４４における符号化率ｒ＝９７／１２０と同一）である場合、例えば、キャリアシンボル内インターリーブ部１６３は、図１９に示すテーブルを用いて、１２０ビット単位のデータに対してインターリーブ処理を施すように構成されている。
【００５３】
変調方式としてＮＵＣが適用されている１６ＱＡＭが用いられている場合で、且つ、符号化率ｒが１３／１５（ＡＲＩＢ  ＳＴＤ−Ｂ４４における符号化率ｒ＝１０５／１２０と同一）である場合、例えば、キャリアシンボル内インターリーブ部１６３は、図２０に示すテーブルを用いて、１２０ビット単位のデータに対してインターリーブ処理を施すように構成されている。
【００５４】
変調方式としてＵＣが適用されている６４ＱＡＭが用いられている場合で、且つ、符号化率ｒが５／１５（ＡＲＩＢ  ＳＴＤ−Ｂ４４における符号化率ｒ＝４１／１２０と同一）である場合、例えば、キャリアシンボル内インターリーブ部１６３は、図２１に示すテーブルを用いて、１２０ビット単位のデータに対してインターリーブ処理を施すように構成されている。
【００５５】
変調方式としてＵＣが適用されている６４ＱＡＭが用いられている場合で、且つ、符号化率ｒが６／１５（ＡＲＩＢ  ＳＴＤ−Ｂ４４における符号化率ｒ＝４９／１２０と同一）である場合、例えば、キャリアシンボル内インターリーブ部１６３は、図２２に示すテーブルを用いて、１２０ビット単位のデータに対してインターリーブ処理を施すように構成されている。
【００５６】
変調方式としてＵＣが適用されている６４ＱＡＭが用いられている場合で、且つ、符号化率ｒが８／１５（ＡＲＩＢ  ＳＴＤ−Ｂ４４における符号化率ｒ＝６１／１２０と同一）である場合、例えば、キャリアシンボル内インターリーブ部１６３は、図２３に示すテーブルを用いて、１２０ビット単位のデータに対してインターリーブ処理を施すように構成されている。
【００５７】
変調方式としてＵＣが適用されている６４ＱＡＭが用いられている場合で、且つ、符号化率ｒが９／１５（ＡＲＩＢ  ＳＴＤ−Ｂ４４における符号化率ｒ＝７３／１２０と同一）である場合、例えば、キャリアシンボル内インターリーブ部１６３は、図２４に示すテーブルを用いて、１２０ビット単位のデータに対してインターリーブ処理を施すように構成されている。
【００５８】
変調方式としてＵＣが適用されている６４ＱＡＭが用いられている場合で、且つ、符号化率ｒが１０／１５（ＡＲＩＢ  ＳＴＤ−Ｂ４４における符号化率ｒ＝８１／１２０と同一）である場合、例えば、キャリアシンボル内インターリーブ部１６３は、図２５に示すテーブルを用いて、１２０ビット単位のデータに対してインターリーブ処理を施すように構成されている。
【００５９】
変調方式としてＵＣが適用されている６４ＱＡＭが用いられている場合で、且つ、符号化率ｒが１１／１５（ＡＲＩＢ  ＳＴＤ−Ｂ４４における符号化率ｒ＝８９／１２０と同一）である場合、例えば、キャリアシンボル内インターリーブ部１６３は、図２６に示すテーブルを用いて、１２０ビット単位のデータに対してインターリーブ処理を施すように構成されている。
【００６０】
変調方式としてＵＣが適用されている６４ＱＡＭが用いられている場合で、且つ、符号化率ｒが１２／１５（ＡＲＩＢ  ＳＴＤ−Ｂ４４における符号化率ｒ＝９７／１２０と同一）である場合、例えば、キャリアシンボル内インターリーブ部１６３は、図２７に示すテーブルを用いて、１２０ビット単位のデータに対してインターリーブ処理を施すように構成されている。
【００６１】
変調方式としてＵＣが適用されている６４ＱＡＭが用いられている場合で、且つ、符号化率ｒが１３／１５（ＡＲＩＢ  ＳＴＤ−Ｂ４４における符号化率ｒ＝１０５／１２０と同一）である場合、例えば、キャリアシンボル内インターリーブ部１６３は、図２８に示すテーブルを用いて、１２０ビット単位のデータに対してインターリーブ処理を施すように構成されている。
【００６２】
変調方式としてＮＵＣが適用されている６４ＱＡＭが用いられている場合で、且つ、符号化率ｒが５／１５（ＡＲＩＢ  ＳＴＤ−Ｂ４４における符号化率ｒ＝４１／１２０と同一）である場合、例えば、キャリアシンボル内インターリーブ部１６３は、図２９に示すテーブルを用いて、１２０ビット単位のデータに対してインターリーブ処理を施すように構成されている。
【００６３】
変調方式としてＮＵＣが適用されている６４ＱＡＭが用いられている場合で、且つ、符号化率ｒが６／１５（ＡＲＩＢ  ＳＴＤ−Ｂ４４における符号化率ｒ＝４９／１２０と同一）である場合、例えば、キャリアシンボル内インターリーブ部１６３は、図３０に示すテーブルを用いて、１２０ビット単位のデータに対してインターリーブ処理を施すように構成されている。
【００６４】
変調方式としてＮＵＣが適用されている６４ＱＡＭが用いられている場合で、且つ、符号化率ｒが８／１５（ＡＲＩＢ  ＳＴＤ−Ｂ４４における符号化率ｒ＝６１／１２０と同一）である場合、例えば、キャリアシンボル内インターリーブ部１６３は、図３１に示すテーブルを用いて、１２０ビット単位のデータに対してインターリーブ処理を施すように構成されている。
【００６５】
変調方式としてＮＵＣが適用されている６４ＱＡＭが用いられている場合で、且つ、符号化率ｒが９／１５（ＡＲＩＢ  ＳＴＤ−Ｂ４４における符号化率ｒ＝７３／１２０と同一）である場合、例えば、キャリアシンボル内インターリーブ部１６３は、図３２に示すテーブルを用いて、１２０ビット単位のデータに対してインターリーブ処理を施すように構成されている。
【００６６】
変調方式としてＮＵＣが適用されている６４ＱＡＭが用いられている場合で、且つ、符号化率ｒが１０／１５（ＡＲＩＢ  ＳＴＤ−Ｂ４４における符号化率ｒ＝８１／１２０と同一）である場合、例えば、キャリアシンボル内インターリーブ部１６３は、図３３に示すテーブルを用いて、１２０ビット単位のデータに対してインターリーブ処理を施すように構成されている。
【００６７】
変調方式としてＮＵＣが適用されている６４ＱＡＭが用いられている場合で、且つ、符号化率ｒが１１／１５（ＡＲＩＢ  ＳＴＤ−Ｂ４４における符号化率ｒ＝８９／１２０と同一）である場合、例えば、キャリアシンボル内インターリーブ部１６３は、図３４に示すテーブルを用いて、１２０ビット単位のデータに対してインターリーブ処理を施すように構成されている。
【００６８】
変調方式としてＮＵＣが適用されている６４ＱＡＭが用いられている場合で、且つ、符号化率ｒが１２／１５（ＡＲＩＢ  ＳＴＤ−Ｂ４４における符号化率ｒ＝９７／１２０と同一）である場合、例えば、キャリアシンボル内インターリーブ部１６３は、図３５に示すテーブルを用いて、１２０ビット単位のデータに対してインターリーブ処理を施すように構成されている。
【００６９】
変調方式としてＮＵＣが適用されている６４ＱＡＭが用いられている場合で、且つ、符号化率ｒが１３／１５（ＡＲＩＢ  ＳＴＤ−Ｂ４４における符号化率ｒ＝１０５／１２０と同一）である場合、例えば、キャリアシンボル内インターリーブ部１６３は、図３６に示すテーブルを用いて、１２０ビット単位のデータに対してインターリーブ処理を施すように構成されている。
【００７０】
変調方式としてＵＣが適用されている２５６ＱＡＭが用いられている場合で、且つ、符号化率ｒが５／１５（ＡＲＩＢ  ＳＴＤ−Ｂ４４における符号化率ｒ＝４１／１２０と同一）である場合、例えば、キャリアシンボル内インターリーブ部１６３は、図３７に示すテーブルを用いて、１２０ビット単位のデータに対してインターリーブ処理を施すように構成されている。
【００７１】
変調方式としてＵＣが適用されている２５６ＱＡＭが用いられている場合で、且つ、符号化率ｒが６／１５（ＡＲＩＢ  ＳＴＤ−Ｂ４４における符号化率ｒ＝４９／１２０と同一）である場合、例えば、キャリアシンボル内インターリーブ部１６３は、図３８に示すテーブルを用いて、１２０ビット単位のデータに対してインターリーブ処理を施すように構成されている。
【００７２】
変調方式としてＵＣが適用されている２５６ＱＡＭが用いられている場合で、且つ、符号化率ｒが８／１５（ＡＲＩＢ  ＳＴＤ−Ｂ４４における符号化率ｒ＝６１／１２０と同一）である場合、例えば、キャリアシンボル内インターリーブ部１６３は、図３９に示すテーブルを用いて、１２０ビット単位のデータに対してインターリーブ処理を施すように構成されている。
【００７３】
変調方式としてＵＣが適用されている２５６ＱＡＭが用いられている場合で、且つ、符号化率ｒが９／１５（ＡＲＩＢ  ＳＴＤ−Ｂ４４における符号化率ｒ＝７３／１２０と同一）である場合、例えば、キャリアシンボル内インターリーブ部１６３は、図４０に示すテーブルを用いて、１２０ビット単位のデータに対してインターリーブ処理を施すように構成されている。
【００７４】
変調方式としてＵＣが適用されている２５６ＱＡＭが用いられている場合で、且つ、符号化率ｒが１０／１５（ＡＲＩＢ  ＳＴＤ−Ｂ４４における符号化率ｒ＝８１／１２０と同一）である場合、例えば、キャリアシンボル内インターリーブ部１６３は、図４１に示すテーブルを用いて、１２０ビット単位のデータに対してインターリーブ処理を施すように構成されている。
【００７５】
変調方式としてＵＣが適用されている２５６ＱＡＭが用いられている場合で、且つ、符号化率ｒが１１／１５（ＡＲＩＢ  ＳＴＤ−Ｂ４４における符号化率ｒ＝８９／１２０と同一）である場合、例えば、キャリアシンボル内インターリーブ部１６３は、図４２に示すテーブルを用いて、１２０ビット単位のデータに対してインターリーブ処理を施すように構成されている。
【００７６】
変調方式としてＵＣが適用されている２５６ＱＡＭが用いられている場合で、且つ、符号化率ｒが１２／１５（ＡＲＩＢ  ＳＴＤ−Ｂ４４における符号化率ｒ＝９７／１２０と同一）である場合、例えば、キャリアシンボル内インターリーブ部１６３は、図４３に示すテーブルを用いて、１２０ビット単位のデータに対してインターリーブ処理を施すように構成されている。
【００７７】
変調方式としてＵＣが適用されている２５６ＱＡＭが用いられている場合で、且つ、符号化率ｒが１３／１５（ＡＲＩＢ  ＳＴＤ−Ｂ４４における符号化率ｒ＝１０５／１２０と同一）である場合、例えば、キャリアシンボル内インターリーブ部１６３は、図４４に示すテーブルを用いて、１２０ビット単位のデータに対してインターリーブ処理を施すように構成されている。
【００７８】
変調方式としてＮＵＣが適用されている２５６ＱＡＭが用いられている場合で、且つ、符号化率ｒが５／１５（ＡＲＩＢ  ＳＴＤ−Ｂ４４における符号化率ｒ＝４１／１２０と同一）である場合、例えば、キャリアシンボル内インターリーブ部１６３は、図４５に示すテーブルを用いて、１２０ビット単位のデータに対してインターリーブ処理を施すように構成されている。
【００７９】
変調方式としてＮＵＣが適用されている２５６ＱＡＭが用いられている場合で、且つ、符号化率ｒが６／１５（ＡＲＩＢ  ＳＴＤ−Ｂ４４における符号化率ｒ＝４９／１２０と同一）である場合、例えば、キャリアシンボル内インターリーブ部１６３は、図４６に示すテーブルを用いて、１２０ビット単位のデータに対してインターリーブ処理を施すように構成されている。
【００８０】
変調方式としてＮＵＣが適用されている２５６ＱＡＭが用いられている場合で、且つ、符号化率ｒが８／１５（ＡＲＩＢ  ＳＴＤ−Ｂ４４における符号化率ｒ＝６１／１２０と同一）である場合、例えば、キャリアシンボル内インターリーブ部１６３は、図４７に示すテーブルを用いて、１２０ビット単位のデータに対してインターリーブ処理を施すように構成されている。
【００８１】
変調方式としてＮＵＣが適用されている２５６ＱＡＭが用いられている場合で、且つ、符号化率ｒが９／１５（ＡＲＩＢ  ＳＴＤ−Ｂ４４における符号化率ｒ＝７３／１２０と同一）である場合、例えば、キャリアシンボル内インターリーブ部１６３は、図４８に示すテーブルを用いて、１２０ビット単位のデータに対してインターリーブ処理を施すように構成されている。
【００８２】
変調方式としてＮＵＣが適用されている２５６ＱＡＭが用いられている場合で、且つ、符号化率ｒが１０／１５（ＡＲＩＢ  ＳＴＤ−Ｂ４４における符号化率ｒ＝８１／１２０と同一）である場合、例えば、キャリアシンボル内インターリーブ部１６３は、図４９に示すテーブルを用いて、１２０ビット単位のデータに対してインターリーブ処理を施すように構成されている。
【００８３】
変調方式としてＮＵＣが適用されている２５６ＱＡＭが用いられている場合で、且つ、符号化率ｒが１１／１５（ＡＲＩＢ  ＳＴＤ−Ｂ４４における符号化率ｒ＝８９／１２０と同一）である場合、例えば、キャリアシンボル内インターリーブ部１６３は、図５０に示すテーブルを用いて、１２０ビット単位のデータに対してインターリーブ処理を施すように構成されている。
【００８４】
変調方式としてＮＵＣが適用されている２５６ＱＡＭが用いられている場合で、且つ、符号化率ｒが１２／１５（ＡＲＩＢ  ＳＴＤ−Ｂ４４における符号化率ｒ＝９７／１２０と同一）である場合、例えば、キャリアシンボル内インターリーブ部１６３は、図５１に示すテーブルを用いて、１２０ビット単位のデータに対してインターリーブ処理を施すように構成されている。
【００８５】
変調方式としてＮＵＣが適用されている２５６ＱＡＭが用いられている場合で、且つ、符号化率ｒが１３／１５（ＡＲＩＢ  ＳＴＤ−Ｂ４４における符号化率ｒ＝１０５／１２０と同一）である場合、例えば、キャリアシンボル内インターリーブ部１６３は、図５２に示すテーブルを用いて、１２０ビット単位のデータに対してインターリーブ処理を施すように構成されている。
【００８６】
変調方式としてＵＣが適用されている１０２４ＱＡＭが用いられている場合で、且つ、符号化率ｒが５／１５（ＡＲＩＢ  ＳＴＤ−Ｂ４４における符号化率ｒ＝４１／１２０と同一）である場合、例えば、キャリアシンボル内インターリーブ部１６３は、図５３に示すテーブルを用いて、１２０ビット単位のデータに対してインターリーブ処理を施すように構成されている。
【００８７】
変調方式としてＵＣが適用されている１０２４ＱＡＭが用いられている場合で、且つ、符号化率ｒが６／１５（ＡＲＩＢ  ＳＴＤ−Ｂ４４における符号化率ｒ＝４９／１２０と同一）である場合、例えば、キャリアシンボル内インターリーブ部１６３は、図５４に示すテーブルを用いて、１２０ビット単位のデータに対してインターリーブ処理を施すように構成されている。
【００８８】
変調方式としてＵＣが適用されている１０２４ＱＡＭが用いられている場合で、且つ、符号化率ｒが８／１５（ＡＲＩＢ  ＳＴＤ−Ｂ４４における符号化率ｒ＝６１／１２０と同一）である場合、例えば、キャリアシンボル内インターリーブ部１６３は、図５５に示すテーブルを用いて、１２０ビット単位のデータに対してインターリーブ処理を施すように構成されている。
【００８９】
変調方式としてＵＣが適用されている１０２４ＱＡＭが用いられている場合で、且つ、符号化率ｒが９／１５（ＡＲＩＢ  ＳＴＤ−Ｂ４４における符号化率ｒ＝７３／１２０と同一）である場合、例えば、キャリアシンボル内インターリーブ部１６３は、図５６に示すテーブルを用いて、１２０ビット単位のデータに対してインターリーブ処理を施すように構成されている。
【００９０】
変調方式としてＵＣが適用されている１０２４ＱＡＭが用いられている場合で、且つ、符号化率ｒが１０／１５（ＡＲＩＢ  ＳＴＤ−Ｂ４４における符号化率ｒ＝８１／１２０と同一）である場合、例えば、キャリアシンボル内インターリーブ部１６３は、図５７に示すテーブルを用いて、１２０ビット単位のデータに対してインターリーブ処理を施すように構成されている。
【００９１】
変調方式としてＵＣが適用されている１０２４ＱＡＭが用いられている場合で、且つ、符号化率ｒが１１／１５（ＡＲＩＢ  ＳＴＤ−Ｂ４４における符号化率ｒ＝８９／１２０と同一）である場合、例えば、キャリアシンボル内インターリーブ部１６３は、図５８に示すテーブルを用いて、１２０ビット単位のデータに対してインターリーブ処理を施すように構成されている。
【００９２】
変調方式としてＵＣが適用されている１０２４ＱＡＭが用いられている場合で、且つ、符号化率ｒが１２／１５（ＡＲＩＢ  ＳＴＤ−Ｂ４４における符号化率ｒ＝９７／１２０と同一）である場合、例えば、キャリアシンボル内インターリーブ部１６３は、図５９に示すテーブルを用いて、１２０ビット単位のデータに対してインターリーブ処理を施すように構成されている。
【００９３】
変調方式としてＵＣが適用されている１０２４ＱＡＭが用いられている場合で、且つ、符号化率ｒが１３／１５（ＡＲＩＢ  ＳＴＤ−Ｂ４４における符号化率ｒ＝１０５／１２０と同一）である場合、例えば、キャリアシンボル内インターリーブ部１６３は、図６０に示すテーブルを用いて、１２０ビット単位のデータに対してインターリーブ処理を施すように構成されている。
【００９４】
変調方式としてＮＵＣが適用されている１０２４ＱＡＭが用いられている場合で、且つ、符号化率ｒが５／１５（ＡＲＩＢ  ＳＴＤ−Ｂ４４における符号化率ｒ＝４１／１２０と同一）である場合、例えば、キャリアシンボル内インターリーブ部１６３は、図６１に示すテーブルを用いて、１２０ビット単位のデータに対してインターリーブ処理を施すように構成されている。
【００９５】
変調方式としてＮＵＣが適用されている１０２４ＱＡＭが用いられている場合で、且つ、符号化率ｒが６／１５（ＡＲＩＢ  ＳＴＤ−Ｂ４４における符号化率ｒ＝４９／１２０と同一）である場合、例えば、キャリアシンボル内インターリーブ部１６３は、図６２に示すテーブルを用いて、１２０ビット単位のデータに対してインターリーブ処理を施すように構成されている。
【００９６】
変調方式としてＮＵＣが適用されている１０２４ＱＡＭが用いられている場合で、且つ、符号化率ｒが８／１５（ＡＲＩＢ  ＳＴＤ−Ｂ４４における符号化率ｒ＝６１／１２０と同一）である場合、例えば、キャリアシンボル内インターリーブ部１６３は、図６３に示すテーブルを用いて、１２０ビット単位のデータに対してインターリーブ処理を施すように構成されている。
【００９７】
変調方式としてＮＵＣが適用されている１０２４ＱＡＭが用いられている場合で、且つ、符号化率ｒが９／１５（ＡＲＩＢ  ＳＴＤ−Ｂ４４における符号化率ｒ＝７３／１２０と同一）である場合、例えば、キャリアシンボル内インターリーブ部１６３は、図６４に示すテーブルを用いて、１２０ビット単位のデータに対してインターリーブ処理を施すように構成されている。
【００９８】
変調方式としてＮＵＣが適用されている１０２４ＱＡＭが用いられている場合で、且つ、符号化率ｒが１０／１５（ＡＲＩＢ  ＳＴＤ−Ｂ４４における符号化率ｒ＝８１／１２０と同一）である場合、例えば、キャリアシンボル内インターリーブ部１６３は、図６５に示すテーブルを用いて、１２０ビット単位のデータに対してインターリーブ処理を施すように構成されている。
【００９９】
変調方式としてＮＵＣが適用されている１０２４ＱＡＭが用いられている場合で、且つ、符号化率ｒが１１／１５（ＡＲＩＢ  ＳＴＤ−Ｂ４４における符号化率ｒ＝８９／１２０と同一）である場合、例えば、キャリアシンボル内インターリーブ部１６３は、図６６に示すテーブルを用いて、１２０ビット単位のデータに対してインターリーブ処理を施すように構成されている。
【０１００】
変調方式としてＮＵＣが適用されている１０２４ＱＡＭが用いられている場合で、且つ、符号化率ｒが１２／１５（ＡＲＩＢ  ＳＴＤ−Ｂ４４における符号化率ｒ＝９７／１２０と同一）である場合、例えば、キャリアシンボル内インターリーブ部１６３は、図６７に示すテーブルを用いて、１２０ビット単位のデータに対してインターリーブ処理を施すように構成されている。
【０１０１】
変調方式としてＮＵＣが適用されている１０２４ＱＡＭが用いられている場合で、且つ、符号化率ｒが１３／１５（ＡＲＩＢ  ＳＴＤ−Ｂ４４における符号化率ｒ＝１０５／１２０と同一）である場合、例えば、キャリアシンボル内インターリーブ部１６３は、図６８に示すテーブルを用いて、１２０ビット単位のデータに対してインターリーブ処理を施すように構成されている。
【０１０２】
変調方式としてＵＣが適用されている４０９６ＱＡＭが用いられている場合で、且つ、符号化率ｒが５／１５（ＡＲＩＢ  ＳＴＤ−Ｂ４４における符号化率ｒ＝４１／１２０と同一）である場合、例えば、キャリアシンボル内インターリーブ部１６３は、図６９に示すテーブルを用いて、１２０ビット単位のデータに対してインターリーブ処理を施すように構成されている。
【０１０３】
変調方式としてＵＣが適用されている４０９６ＱＡＭが用いられている場合で、且つ、符号化率ｒが６／１５（ＡＲＩＢ  ＳＴＤ−Ｂ４４における符号化率ｒ＝４９／１２０と同一）である場合、例えば、キャリアシンボル内インターリーブ部１６３は、図７０に示すテーブルを用いて、１２０ビット単位のデータに対してインターリーブ処理を施すように構成されている。
【０１０４】
変調方式としてＵＣが適用されている４０９６ＱＡＭが用いられている場合で、且つ、符号化率ｒが８／１５（ＡＲＩＢ  ＳＴＤ−Ｂ４４における符号化率ｒ＝６１／１２０と同一）である場合、例えば、キャリアシンボル内インターリーブ部１６３は、図７１に示すテーブルを用いて、１２０ビット単位のデータに対してインターリーブ処理を施すように構成されている。
【０１０５】
変調方式としてＵＣが適用されている４０９６ＱＡＭが用いられている場合で、且つ、符号化率ｒが９／１５（ＡＲＩＢ  ＳＴＤ−Ｂ４４における符号化率ｒ＝７３／１２０と同一）である場合、例えば、キャリアシンボル内インターリーブ部１６３は、図７２に示すテーブルを用いて、１２０ビット単位のデータに対してインターリーブ処理を施すように構成されている。
【０１０６】
変調方式としてＵＣが適用されている４０９６ＱＡＭが用いられている場合で、且つ、符号化率ｒが１０／１５（ＡＲＩＢ  ＳＴＤ−Ｂ４４における符号化率ｒ＝８１／１２０と同一）である場合、例えば、キャリアシンボル内インターリーブ部１６３は、図７３に示すテーブルを用いて、１２０ビット単位のデータに対してインターリーブ処理を施すように構成されている。
【０１０７】
変調方式としてＵＣが適用されている４０９６ＱＡＭが用いられている場合で、且つ、符号化率ｒが１１／１５（ＡＲＩＢ  ＳＴＤ−Ｂ４４における符号化率ｒ＝８９／１２０と同一）である場合、例えば、キャリアシンボル内インターリーブ部１６３は、図７４に示すテーブルを用いて、１２０ビット単位のデータに対してインターリーブ処理を施すように構成されている。
【０１０８】
変調方式としてＵＣが適用されている４０９６ＱＡＭが用いられている場合で、且つ、符号化率ｒが１２／１５（ＡＲＩＢ  ＳＴＤ−Ｂ４４における符号化率ｒ＝９７／１２０と同一）である場合、例えば、キャリアシンボル内インターリーブ部１６３は、図７５に示すテーブルを用いて、１２０ビット単位のデータに対してインターリーブ処理を施すように構成されている。
【０１０９】
変調方式としてＵＣが適用されている４０９６ＱＡＭが用いられている場合で、且つ、符号化率ｒが１３／１５（ＡＲＩＢ  ＳＴＤ−Ｂ４４における符号化率ｒ＝１０５／１２０と同一）である場合、例えば、キャリアシンボル内インターリーブ部１６３は、図７６に示すテーブルを用いて、１２０ビット単位のデータに対してインターリーブ処理を施すように構成されている。
【０１１０】
変調方式としてＮＵＣが適用されている４０９６ＱＡＭが用いられている場合で、且つ、符号化率ｒが５／１５（ＡＲＩＢ  ＳＴＤ−Ｂ４４における符号化率ｒ＝４１／１２０と同一）である場合、例えば、キャリアシンボル内インターリーブ部１６３は、図７７に示すテーブルを用いて、１２０ビット単位のデータに対してインターリーブ処理を施すように構成されている。
【０１１１】
変調方式としてＮＵＣが適用されている４０９６ＱＡＭが用いられている場合で、且つ、符号化率ｒが６／１５（ＡＲＩＢ  ＳＴＤ−Ｂ４４における符号化率ｒ＝４９／１２０と同一）である場合、例えば、キャリアシンボル内インターリーブ部１６３は、図７８に示すテーブルを用いて、１２０ビット単位のデータに対してインターリーブ処理を施すように構成されている。
【０１１２】
変調方式としてＮＵＣが適用されている４０９６ＱＡＭが用いられている場合で、且つ、符号化率ｒが８／１５（ＡＲＩＢ  ＳＴＤ−Ｂ４４における符号化率ｒ＝６１／１２０と同一）である場合、例えば、キャリアシンボル内インターリーブ部１６３は、図７９に示すテーブルを用いて、１２０ビット単位のデータに対してインターリーブ処理を施すように構成されている。
【０１１３】
変調方式としてＮＵＣが適用されている４０９６ＱＡＭが用いられている場合で、且つ、符号化率ｒが９／１５（ＡＲＩＢ  ＳＴＤ−Ｂ４４における符号化率ｒ＝７３／１２０と同一）である場合、例えば、キャリアシンボル内インターリーブ部１６３は、図８０に示すテーブルを用いて、１２０ビット単位のデータに対してインターリーブ処理を施すように構成されている。
【０１１４】
変調方式としてＮＵＣが適用されている４０９６ＱＡＭが用いられている場合で、且つ、符号化率ｒが１０／１５（ＡＲＩＢ  ＳＴＤ−Ｂ４４における符号化率ｒ＝８１／１２０と同一）である場合、例えば、キャリアシンボル内インターリーブ部１６３は、図８１に示すテーブルを用いて、１２０ビット単位のデータに対してインターリーブ処理を施すように構成されている。
【０１１５】
変調方式としてＮＵＣが適用されている４０９６ＱＡＭが用いられている場合で、且つ、符号化率ｒが１１／１５（ＡＲＩＢ  ＳＴＤ−Ｂ４４における符号化率ｒ＝８９／１２０と同一）である場合、例えば、キャリアシンボル内インターリーブ部１６３は、図８２に示すテーブルを用いて、１２０ビット単位のデータに対してインターリーブ処理を施すように構成されている。
【０１１６】
変調方式としてＮＵＣが適用されている４０９６ＱＡＭが用いられている場合で、且つ、符号化率ｒが１２／１５（ＡＲＩＢ  ＳＴＤ−Ｂ４４における符号化率ｒ＝９７／１２０と同一）である場合、例えば、キャリアシンボル内インターリーブ部１６３は、図８３に示すテーブルを用いて、１２０ビット単位のデータに対してインターリーブ処理を施すように構成されている。
【０１１７】
変調方式としてＮＵＣが適用されている４０９６ＱＡＭが用いられている場合で、且つ、符号化率ｒが１３／１５（ＡＲＩＢ  ＳＴＤ−Ｂ４４における符号化率ｒ＝１０５／１２０と同一）である場合、例えば、キャリアシンボル内インターリーブ部１６３は、図８４に示すテーブルを用いて、１２０ビット単位のデータに対してインターリーブ処理を施すように構成されている。
【０１１８】
フレームヘッダ挿入部１７ａは、ビットインターリーブ部１６ａからの出力に対して、フレームヘッダ符号化部２０ａによって符号化処理が施されたフレームのヘッダを挿入するように構成されている。
【０１１９】
マッピング部１８ａは、フレームヘッダ挿入部１７ａからの出力に対してマッピング処理を施して変調シンボルを出力するように構成されている。
【０１２０】
レベル調整部１９ａは、マッピング部１８ａから出力された変調シンボルのＩ／Ｑ座標値のレベル調整を行うように構成されている。
【０１２１】
階層合成部２１は、Ａ階層データの変調シンボル及びＢ階層データの変調シンボルを合成するように構成されている。
【０１２２】
上述したように、フレームヘッダ挿入部１７ａ、マッピング部１８ａ、レベル調整部１９ａは、Ａ階層について処理を行う。
【０１２３】
同様に、フレームヘッダ挿入部１７ｂ、マッピング部１８ｂ、レベル調整部１９ｂ、階層合成部２１は、Ｂ階層について処理を行うが、処理内容はＡ階層の処理と同様であるため、説明を省略する。
【０１２４】
次世代の地上デジタル放送伝送方式のノーマルモードでは、１チャネルが、３３セグメントによって構成されており、５．５０ＭＨｚの帯域幅を有しており、３３個のセグメントのうち２４個のセグメントが、非部分受信帯域データの送信に用いられ、残りの９セグメントが、部分受信帯域データの送信に用いられる。
【０１２５】
また、次世代の地上デジタル放送伝送方式の互換モードでは、１チャネルが、３３セグメント及び調整帯域（０．０７ＭＨｚ）によって構成されており、ＩＳＤＢ−Ｔの１チャネルと同じ５．５７ＭＨｚの帯域幅を有しており、３３個のセグメントのうち２４個のセグメントが、非部分受信帯域データの送信に用いられ、残りの９セグメントが、部分受信帯域データの送信に用いられる。
【０１２６】
さらに、次世代の地上デジタル放送伝送方式の拡張モードでは、１チャネルが、３５セグメントによって構成されており、５．８３ＭＨｚの帯域幅を有しており、３５個のセグメントのうち２６個のセグメントが、非部分受信帯域データの送信に用いられ、残りの９セグメントが、部分受信帯域データの送信に用いられる。
【０１２７】
具体的には、９個のセグメントからなる部分受信帯域にＡ階層データが割り当てた後に空きがある場合にＢ階層データが割り当てられることによって部分受信帯域データが生成され、２４個のセグメントからなる非部分受信帯域にＢ階層データの残りが割り当てられることによって非部分受信帯域データが生成するように構成されている。
【０１２８】
例えば、Ａ階層データが９個未満のセグメントからなる場合、Ｂ階層データのうちセグメント番号の低い方から順番に部分受信帯域に割り当てられていき、Ａ階層データ及びＢ階層データを合わせて９個のセグメントからなる部分受信帯域データが生成されるように構成されていてもよい。
【０１２９】
一方、Ａ階層データが９個のセグメントからなる場合、Ａ階層データが部分受信帯域データとなり、Ｂ階層データが非部分受信帯域データとなるように構成されていてもよい。
【０１３０】
本実施形態に係る受信装置３は、２階層までの階層伝送によって送信されたＡ階層データ及びＢ階層データを受信することができるように構成されている。
【０１３１】
本実施形態に係る受信装置３は、図８５に示すように、階層分離部３１と、レベル調整部３２ａ、３２ｂと、デマッピング部３３ａ、３３ｂと、フレームヘッダ分離部３４ａ、３４ｂと、ビットデインターリーブ部３５ａ、３５ｂと、ＬＤＰＣ復号部３６ａ、３６ｂと、ＢＣＨ復号部３７ａ、３７ｂと、エネルギー逆拡散部３８ａ、３８ｂと、ＦＥＣブロック逆変換部３９ａ、３９ｂと、フレームヘッダ復号部４０ａ、４０ｂと、フレームヘッダ挿入部４１ａ、４１ｂとを具備している。
【０１３２】
階層分離部３１は、Ａ階層データ及びＢ階層データを分離するように構成されている。
【０１３３】
レベル調整部３２ａは、階層分離部３１から出力されたＡ階層データの変調シンボルのＩ／Ｑ座標値のレベル調整を行うように構成されており、レベル調整部３２ｂは、階層分離部３１から出力されたＢ階層データの変調シンボルのＩ／Ｑ座標値のレベル調整を行うように構成されている。
【０１３４】
デマッピング部３３ａは、レベル調整部３２ａからの出力に対してデマッピング処理を施すように構成されている。
【０１３５】
フレームヘッダ分離部３４ａは、デマッピング部３３ａから出力されたフレームのヘッダを分離するように構成されている。
【０１３６】
フレームヘッダ復号部４０ａは、フレームヘッダ分離部３４ａから出力されたフレームのヘッダに対して復号処理を施すように構成されている。
【０１３７】
ビットデインターリーブ部３５ａは、フレームヘッダ分離部３４ａからの出力に対してビットデインターリーブ処理を施すように構成されている。
【０１３８】
上述したように、レベル調整部３２ａ、デマッピング部３３ａ、フレームヘッダ分離部３４ａ、フレームヘッダ復号部４０ａ、ビットデインターリーブ部３５ａ、ＬＤＰＣ復号部３６ａは、Ａ階層について処理を行う。
【０１３９】
同様に、レベル調整部３２ｂ、デマッピング部３３ｂ、フレームヘッダ分離部３４ｂ、フレームヘッダ復号部４０ｂ、ビットデインターリーブ部３５ｂ、ＬＤＰＣ復号部３６ｂは、Ｂ階層について処理を行うが、処理内容は、Ａ階層についての処理と同様であるため、説明を省略する。
【０１４０】
具体的には、図８６に示すように、ビットデインターリーブ部３５ａ／３５ｂは、それぞれ、キャリアシンボル内デインターリーブ部３５１と、ブロックデインターリーブ部３５２と、パリティデインターリーブ部３５３とを具備している。
【０１４１】
キャリアシンボル内デインターリーブ部３５１は、フレームヘッダ分離部３４ａ／３４ｂから入力された所定単位のデータに対してデインターリーブ処理を施すように構成されている。
【０１４２】
具体的には、キャリアシンボル内デインターリーブ部３５１は、変調方式ごとで異なるテーブルを用いて、デインターリービング処理（並び替え）を行うように構成されている。
【０１４３】
また、キャリアシンボル内デインターリーブ部３５１は、同一の変調方式において、ＵＣが適用されている場合とＮＵＣが適用されている場合とで、別のテーブルを用いるように構成されていてもよい。
【０１４４】
以下、キャリアシンボル内デインターリーブ部３５１が、全ての変調方式における変調多値数の公倍数である１２０ビット単位のデータに対してデインターリーブ処理を施すケースを例に挙げて説明する。
【０１４５】
なお、図５〜図８４に示すテーブルにおいて、「ｏｕｔ」がキャリアシンボル内デインターリーブ部３５１に入力される所定単位のデータの各ビットであり、「ｉｎ」がキャリアシンボル内デインターリーブ部３５１によってデインターリーブ処理が施された所定単位のデータの各ビットである。
【０１４６】
変調方式としてＵＣが適用されている１６ＱＡＭが用いられている場合で、且つ、符号化率ｒが５／１５（ＡＲＩＢ  ＳＴＤ−Ｂ４４における符号化率ｒ＝４１／１２０と同一）である場合、例えば、キャリアシンボル内デインターリーブ部３５１は、図５に示すテーブルを用いて、１２０ビット単位のデータに対してデインターリーブ処理を施すように構成されている。
【０１４７】
変調方式としてＵＣが適用されている１６ＱＡＭが用いられている場合で、且つ、符号化率ｒが６／１５（ＡＲＩＢ  ＳＴＤ−Ｂ４４における符号化率ｒ＝４９／１２０と同一）である場合、例えば、キャリアシンボル内デインターリーブ部３５１は、図６に示すテーブルを用いて、１２０ビット単位のデータに対してデインターリーブ処理を施すように構成されている。
【０１４８】
変調方式としてＵＣが適用されている１６ＱＡＭが用いられている場合で、且つ、符号化率ｒが８／１５（ＡＲＩＢ  ＳＴＤ−Ｂ４４における符号化率ｒ＝６１／１２０と同一）である場合、例えば、キャリアシンボル内デインターリーブ部３５１は、図７に示すテーブルを用いて、１２０ビット単位のデータに対してデインターリーブ処理を施すように構成されている。
【０１４９】
変調方式としてＵＣが適用されている１６ＱＡＭが用いられている場合で、且つ、符号化率ｒが９／１５（ＡＲＩＢ  ＳＴＤ−Ｂ４４における符号化率ｒ＝７３／１２０と同一）である場合、例えば、キャリアシンボル内デインターリーブ部３５１は、図８に示すテーブルを用いて、１２０ビット単位のデータに対してデインターリーブ処理を施すように構成されている。
【０１５０】
変調方式としてＵＣが適用されている１６ＱＡＭが用いられている場合で、且つ、符号化率ｒが１０／１５（ＡＲＩＢ  ＳＴＤ−Ｂ４４における符号化率ｒ＝８１／１２０と同一）である場合、例えば、キャリアシンボル内デインターリーブ部３５１は、図９に示すテーブルを用いて、１２０ビット単位のデータに対してデインターリーブ処理を施すように構成されている。
【０１５１】
変調方式としてＵＣが適用されている１６ＱＡＭが用いられている場合で、且つ、符号化率ｒが１１／１５（ＡＲＩＢ  ＳＴＤ−Ｂ４４における符号化率ｒ＝８９／１２０と同一）である場合、例えば、キャリアシンボル内デインターリーブ部３５１は、図１０に示すテーブルを用いて、１２０ビット単位のデータに対してデインターリーブ処理を施すように構成されている。
【０１５２】
変調方式としてＵＣが適用されている１６ＱＡＭが用いられている場合で、且つ、符号化率ｒが１２／１５（ＡＲＩＢ  ＳＴＤ−Ｂ４４における符号化率ｒ＝９７／１２０と同一）である場合、例えば、キャリアシンボル内デインターリーブ部３５１は、図１１に示すテーブルを用いて、１２０ビット単位のデータに対してデインターリーブ処理を施すように構成されている。
【０１５３】
変調方式としてＵＣが適用されている１６ＱＡＭが用いられている場合で、且つ、符号化率ｒが１３／１５（ＡＲＩＢ  ＳＴＤ−Ｂ４４における符号化率ｒ＝１０５／１２０と同一）である場合、例えば、キャリアシンボル内デインターリーブ部３５１は、図１２に示すテーブルを用いて、１２０ビット単位のデータに対してデインターリーブ処理を施すように構成されている。
【０１５４】
変調方式としてＮＵＣが適用されている１６ＱＡＭが用いられている場合で、且つ、符号化率ｒが５／１５（ＡＲＩＢ  ＳＴＤ−Ｂ４４における符号化率ｒ＝４１／１２０と同一）である場合、例えば、キャリアシンボル内デインターリーブ部３５１は、図１３に示すテーブルを用いて、１２０ビット単位のデータに対してデインターリーブ処理を施すように構成されている。
【０１５５】
変調方式としてＮＵＣが適用されている１６ＱＡＭが用いられている場合で、且つ、符号化率ｒが６／１５（ＡＲＩＢ  ＳＴＤ−Ｂ４４における符号化率ｒ＝４９／１２０と同一）である場合、例えば、キャリアシンボル内デインターリーブ部３５１は、図１４に示すテーブルを用いて、１２０ビット単位のデータに対してデインターリーブ処理を施すように構成されている。
【０１５６】
変調方式としてＮＵＣが適用されている１６ＱＡＭが用いられている場合で、且つ、符号化率ｒが８／１５（ＡＲＩＢ  ＳＴＤ−Ｂ４４における符号化率ｒ＝６１／１２０と同一）である場合、例えば、キャリアシンボル内デインターリーブ部３５１は、図１５に示すテーブルを用いて、１２０ビット単位のデータに対してデインターリーブ処理を施すように構成されている。
【０１５７】
変調方式としてＮＵＣが適用されている１６ＱＡＭが用いられている場合で、且つ、符号化率ｒが９／１５（ＡＲＩＢ  ＳＴＤ−Ｂ４４における符号化率ｒ＝７３／１２０と同一）である場合、例えば、キャリアシンボル内デインターリーブ部３５１は、図１６に示すテーブルを用いて、１２０ビット単位のデータに対してデインターリーブ処理を施すように構成されている。
【０１５８】
変調方式としてＮＵＣが適用されている１６ＱＡＭが用いられている場合で、且つ、符号化率ｒが１０／１５（ＡＲＩＢ  ＳＴＤ−Ｂ４４における符号化率ｒ＝８１／１２０と同一）である場合、例えば、キャリアシンボル内デインターリーブ部３５１は、図１７に示すテーブルを用いて、１２０ビット単位のデータに対してデインターリーブ処理を施すように構成されている。
【０１５９】
変調方式としてＮＵＣが適用されている１６ＱＡＭが用いられている場合で、且つ、符号化率ｒが１１／１５（ＡＲＩＢ  ＳＴＤ−Ｂ４４における符号化率ｒ＝８９／１２０と同一）である場合、例えば、キャリアシンボル内デインターリーブ部３５１は、図１８に示すテーブルを用いて、１２０ビット単位のデータに対してデインターリーブ処理を施すように構成されている。
【０１６０】
変調方式としてＮＵＣが適用されている１６ＱＡＭが用いられている場合で、且つ、符号化率ｒが１２／１５（ＡＲＩＢ  ＳＴＤ−Ｂ４４における符号化率ｒ＝９７／１２０と同一）である場合、例えば、キャリアシンボル内デインターリーブ部３５１は、図１９に示すテーブルを用いて、１２０ビット単位のデータに対してデインターリーブ処理を施すように構成されている。
【０１６１】
変調方式としてＮＵＣが適用されている１６ＱＡＭが用いられている場合で、且つ、符号化率ｒが１３／１５（ＡＲＩＢ  ＳＴＤ−Ｂ４４における符号化率ｒ＝１０５／１２０と同一）である場合、例えば、キャリアシンボル内デインターリーブ部３５１は、図２０に示すテーブルを用いて、１２０ビット単位のデータに対してデインターリーブ処理を施すように構成されている。
【０１６２】
変調方式としてＵＣが適用されている６４ＱＡＭが用いられている場合で、且つ、符号化率ｒが５／１５（ＡＲＩＢ  ＳＴＤ−Ｂ４４における符号化率ｒ＝４１／１２０と同一）である場合、例えば、キャリアシンボル内デインターリーブ部３５１は、図２１に示すテーブルを用いて、１２０ビット単位のデータに対してデインターリーブ処理を施すように構成されている。
【０１６３】
変調方式としてＵＣが適用されている６４ＱＡＭが用いられている場合で、且つ、符号化率ｒが６／１５（ＡＲＩＢ  ＳＴＤ−Ｂ４４における符号化率ｒ＝４９／１２０と同一）である場合、例えば、キャリアシンボル内デインターリーブ部３５１は、図２２に示すテーブルを用いて、１２０ビット単位のデータに対してデインターリーブ処理を施すように構成されている。
【０１６４】
変調方式としてＵＣが適用されている６４ＱＡＭが用いられている場合で、且つ、符号化率ｒが８／１５（ＡＲＩＢ  ＳＴＤ−Ｂ４４における符号化率ｒ＝６１／１２０と同一）である場合、例えば、キャリアシンボル内デインターリーブ部３５１は、図２３に示すテーブルを用いて、１２０ビット単位のデータに対してデインターリーブ処理を施すように構成されている。
【０１６５】
変調方式としてＵＣが適用されている６４ＱＡＭが用いられている場合で、且つ、符号化率ｒが９／１５（ＡＲＩＢ  ＳＴＤ−Ｂ４４における符号化率ｒ＝７３／１２０と同一）である場合、例えば、キャリアシンボル内デインターリーブ部３５１は、図２４に示すテーブルを用いて、１２０ビット単位のデータに対してデインターリーブ処理を施すように構成されている。
【０１６６】
変調方式としてＵＣが適用されている６４ＱＡＭが用いられている場合で、且つ、符号化率ｒが１０／１５（ＡＲＩＢ  ＳＴＤ−Ｂ４４における符号化率ｒ＝８１／１２０と同一）である場合、例えば、キャリアシンボル内デインターリーブ部３５１は、図２５に示すテーブルを用いて、１２０ビット単位のデータに対してデインターリーブ処理を施すように構成されている。
【０１６７】
変調方式としてＵＣが適用されている６４ＱＡＭが用いられている場合で、且つ、符号化率ｒが１１／１５（ＡＲＩＢ  ＳＴＤ−Ｂ４４における符号化率ｒ＝８９／１２０と同一）である場合、例えば、キャリアシンボル内デインターリーブ部３５１は、図２６に示すテーブルを用いて、１２０ビット単位のデータに対してデインターリーブ処理を施すように構成されている。
【０１６８】
変調方式としてＵＣが適用されている６４ＱＡＭが用いられている場合で、且つ、符号化率ｒが１２／１５（ＡＲＩＢ  ＳＴＤ−Ｂ４４における符号化率ｒ＝９７／１２０と同一）である場合、例えば、キャリアシンボル内デインターリーブ部３５１は、図２７に示すテーブルを用いて、１２０ビット単位のデータに対してデインターリーブ処理を施すように構成されている。
【０１６９】
変調方式としてＵＣが適用されている６４ＱＡＭが用いられている場合で、且つ、符号化率ｒが１３／１５（ＡＲＩＢ  ＳＴＤ−Ｂ４４における符号化率ｒ＝１０５／１２０と同一）である場合、例えば、キャリアシンボル内デインターリーブ部３５１は、図２８に示すテーブルを用いて、１２０ビット単位のデータに対してデインターリーブ処理を施すように構成されている。
【０１７０】
変調方式としてＮＵＣが適用されている６４ＱＡＭが用いられている場合で、且つ、符号化率ｒが５／１５（ＡＲＩＢ  ＳＴＤ−Ｂ４４における符号化率ｒ＝４１／１２０と同一）である場合、例えば、キャリアシンボル内デインターリーブ部３５１は、図２９に示すテーブルを用いて、１２０ビット単位のデータに対してデインターリーブ処理を施すように構成されている。
【０１７１】
変調方式としてＮＵＣが適用されている６４ＱＡＭが用いられている場合で、且つ、符号化率ｒが６／１５（ＡＲＩＢ  ＳＴＤ−Ｂ４４における符号化率ｒ＝４９／１２０と同一）である場合、例えば、キャリアシンボル内デインターリーブ部３５１は、図３０に示すテーブルを用いて、１２０ビット単位のデータに対してデインターリーブ処理を施すように構成されている。
【０１７２】
変調方式としてＮＵＣが適用されている６４ＱＡＭが用いられている場合で、且つ、符号化率ｒが８／１５（ＡＲＩＢ  ＳＴＤ−Ｂ４４における符号化率ｒ＝６１／１２０と同一）である場合、例えば、キャリアシンボル内デインターリーブ部３５１は、図３１に示すテーブルを用いて、１２０ビット単位のデータに対してデインターリーブ処理を施すように構成されている。
【０１７３】
変調方式としてＮＵＣが適用されている６４ＱＡＭが用いられている場合で、且つ、符号化率ｒが９／１５（ＡＲＩＢ  ＳＴＤ−Ｂ４４における符号化率ｒ＝７３／１２０と同一）である場合、例えば、キャリアシンボル内デインターリーブ部３５１は、図３２に示すテーブルを用いて、１２０ビット単位のデータに対してデインターリーブ処理を施すように構成されている。
【０１７４】
変調方式としてＮＵＣが適用されている６４ＱＡＭが用いられている場合で、且つ、符号化率ｒが１０／１５（ＡＲＩＢ  ＳＴＤ−Ｂ４４における符号化率ｒ＝８１／１２０と同一）である場合、例えば、キャリアシンボル内デインターリーブ部３５１は、図３３に示すテーブルを用いて、１２０ビット単位のデータに対してデインターリーブ処理を施すように構成されている。
【０１７５】
変調方式としてＮＵＣが適用されている６４ＱＡＭが用いられている場合で、且つ、符号化率ｒが１１／１５（ＡＲＩＢ  ＳＴＤ−Ｂ４４における符号化率ｒ＝８９／１２０と同一）である場合、例えば、キャリアシンボル内デインターリーブ部３５１は、図３４に示すテーブルを用いて、１２０ビット単位のデータに対してデインターリーブ処理を施すように構成されている。
【０１７６】
変調方式としてＮＵＣが適用されている６４ＱＡＭが用いられている場合で、且つ、符号化率ｒが１２／１５（ＡＲＩＢ  ＳＴＤ−Ｂ４４における符号化率ｒ＝９７／１２０と同一）である場合、例えば、キャリアシンボル内デインターリーブ部３５１は、図３５に示すテーブルを用いて、１２０ビット単位のデータに対してデインターリーブ処理を施すように構成されている。
【０１７７】
変調方式としてＮＵＣが適用されている６４ＱＡＭが用いられている場合で、且つ、符号化率ｒが１３／１５（ＡＲＩＢ  ＳＴＤ−Ｂ４４における符号化率ｒ＝１０５／１２０と同一）である場合、例えば、キャリアシンボル内デインターリーブ部３５１は、図３６に示すテーブルを用いて、１２０ビット単位のデータに対してデインターリーブ処理を施すように構成されている。
【０１７８】
変調方式としてＵＣが適用されている２５６ＱＡＭが用いられている場合で、且つ、符号化率ｒが５／１５（ＡＲＩＢ  ＳＴＤ−Ｂ４４における符号化率ｒ＝４１／１２０と同一）である場合、例えば、キャリアシンボル内デインターリーブ部３５１は、図３７に示すテーブルを用いて、１２０ビット単位のデータに対してデインターリーブ処理を施すように構成されている。
【０１７９】
変調方式としてＵＣが適用されている２５６ＱＡＭが用いられている場合で、且つ、符号化率ｒが６／１５（ＡＲＩＢ  ＳＴＤ−Ｂ４４における符号化率ｒ＝４９／１２０と同一）である場合、例えば、キャリアシンボル内デインターリーブ部３５１は、図３８に示すテーブルを用いて、１２０ビット単位のデータに対してデインターリーブ処理を施すように構成されている。
【０１８０】
変調方式としてＵＣが適用されている２５６ＱＡＭが用いられている場合で、且つ、符号化率ｒが８／１５（ＡＲＩＢ  ＳＴＤ−Ｂ４４における符号化率ｒ＝６１／１２０と同一）である場合、例えば、キャリアシンボル内デインターリーブ部３５１は、図３９に示すテーブルを用いて、１２０ビット単位のデータに対してデインターリーブ処理を施すように構成されている。
【０１８１】
変調方式としてＵＣが適用されている２５６ＱＡＭが用いられている場合で、且つ、符号化率ｒが９／１５（ＡＲＩＢ  ＳＴＤ−Ｂ４４における符号化率ｒ＝７３／１２０と同一）である場合、例えば、キャリアシンボル内デインターリーブ部３５１は、図４０に示すテーブルを用いて、１２０ビット単位のデータに対してデインターリーブ処理を施すように構成されている。
【０１８２】
変調方式としてＵＣが適用されている２５６ＱＡＭが用いられている場合で、且つ、符号化率ｒが１０／１５（ＡＲＩＢ  ＳＴＤ−Ｂ４４における符号化率ｒ＝８１／１２０と同一）である場合、例えば、キャリアシンボル内デインターリーブ部３５１は、図４１に示すテーブルを用いて、１２０ビット単位のデータに対してデインターリーブ処理を施すように構成されている。
【０１８３】
変調方式としてＵＣが適用されている２５６ＱＡＭが用いられている場合で、且つ、符号化率ｒが１１／１５（ＡＲＩＢ  ＳＴＤ−Ｂ４４における符号化率ｒ＝８９／１２０と同一）である場合、例えば、キャリアシンボル内デインターリーブ部３５１は、図４２に示すテーブルを用いて、１２０ビット単位のデータに対してデインターリーブ処理を施すように構成されている。
【０１８４】
変調方式としてＵＣが適用されている２５６ＱＡＭが用いられている場合で、且つ、符号化率ｒが１２／１５（ＡＲＩＢ  ＳＴＤ−Ｂ４４における符号化率ｒ＝９７／１２０と同一）である場合、例えば、キャリアシンボル内デインターリーブ部３５１は、図４３に示すテーブルを用いて、１２０ビット単位のデータに対してデインターリーブ処理を施すように構成されている。
【０１８５】
変調方式としてＵＣが適用されている２５６ＱＡＭが用いられている場合で、且つ、符号化率ｒが１３／１５（ＡＲＩＢ  ＳＴＤ−Ｂ４４における符号化率ｒ＝１０５／１２０と同一）である場合、例えば、キャリアシンボル内デインターリーブ部３５１は、図４４に示すテーブルを用いて、１２０ビット単位のデータに対してデインターリーブ処理を施すように構成されている。
【０１８６】
変調方式としてＮＵＣが適用されている２５６ＱＡＭが用いられている場合で、且つ、符号化率ｒが５／１５（ＡＲＩＢ  ＳＴＤ−Ｂ４４における符号化率ｒ＝４１／１２０と同一）である場合、例えば、キャリアシンボル内デインターリーブ部３５１は、図４５に示すテーブルを用いて、１２０ビット単位のデータに対してデインターリーブ処理を施すように構成されている。
【０１８７】
変調方式としてＮＵＣが適用されている２５６ＱＡＭが用いられている場合で、且つ、符号化率ｒが６／１５（ＡＲＩＢ  ＳＴＤ−Ｂ４４における符号化率ｒ＝４９／１２０と同一）である場合、例えば、キャリアシンボル内デインターリーブ部３５１は、図４６に示すテーブルを用いて、１２０ビット単位のデータに対してデインターリーブ処理を施すように構成されている。
【０１８８】
変調方式としてＮＵＣが適用されている２５６ＱＡＭが用いられている場合で、且つ、符号化率ｒが８／１５（ＡＲＩＢ  ＳＴＤ−Ｂ４４における符号化率ｒ＝６１／１２０と同一）である場合、例えば、キャリアシンボル内デインターリーブ部３５１は、図４７に示すテーブルを用いて、１２０ビット単位のデータに対してデインターリーブ処理を施すように構成されている。
【０１８９】
変調方式としてＮＵＣが適用されている２５６ＱＡＭが用いられている場合で、且つ、符号化率ｒが９／１５（ＡＲＩＢ  ＳＴＤ−Ｂ４４における符号化率ｒ＝７３／１２０と同一）である場合、例えば、キャリアシンボル内デインターリーブ部３５１は、図４８に示すテーブルを用いて、１２０ビット単位のデータに対してデインターリーブ処理を施すように構成されている。
【０１９０】
変調方式としてＮＵＣが適用されている２５６ＱＡＭが用いられている場合で、且つ、符号化率ｒが１０／１５（ＡＲＩＢ  ＳＴＤ−Ｂ４４における符号化率ｒ＝８１／１２０と同一）である場合、例えば、キャリアシンボル内デインターリーブ部３５１は、図４９に示すテーブルを用いて、１２０ビット単位のデータに対してデインターリーブ処理を施すように構成されている。
【０１９１】
変調方式としてＮＵＣが適用されている２５６ＱＡＭが用いられている場合で、且つ、符号化率ｒが１１／１５（ＡＲＩＢ  ＳＴＤ−Ｂ４４における符号化率ｒ＝８９／１２０と同一）である場合、例えば、キャリアシンボル内デインターリーブ部３５１は、図５０に示すテーブルを用いて、１２０ビット単位のデータに対してデインターリーブ処理を施すように構成されている。
【０１９２】
変調方式としてＮＵＣが適用されている２５６ＱＡＭが用いられている場合で、且つ、符号化率ｒが１２／１５（ＡＲＩＢ  ＳＴＤ−Ｂ４４における符号化率ｒ＝９７／１２０と同一）である場合、例えば、キャリアシンボル内デインターリーブ部３５１は、図５１に示すテーブルを用いて、１２０ビット単位のデータに対してデインターリーブ処理を施すように構成されている。
【０１９３】
変調方式としてＮＵＣが適用されている２５６ＱＡＭが用いられている場合で、且つ、符号化率ｒが１３／１５（ＡＲＩＢ  ＳＴＤ−Ｂ４４における符号化率ｒ＝１０５／１２０と同一）である場合、例えば、キャリアシンボル内デインターリーブ部３５１は、図５２に示すテーブルを用いて、１２０ビット単位のデータに対してデインターリーブ処理を施すように構成されている。
【０１９４】
変調方式としてＵＣが適用されている１０２４ＱＡＭが用いられている場合で、且つ、符号化率ｒが５／１５（ＡＲＩＢ  ＳＴＤ−Ｂ４４における符号化率ｒ＝４１／１２０と同一）である場合、例えば、キャリアシンボル内デインターリーブ部３５１は、図５３に示すテーブルを用いて、１２０ビット単位のデータに対してデインターリーブ処理を施すように構成されている。
【０１９５】
変調方式としてＵＣが適用されている１０２４ＱＡＭが用いられている場合で、且つ、符号化率ｒが６／１５（ＡＲＩＢ  ＳＴＤ−Ｂ４４における符号化率ｒ＝４９／１２０と同一）である場合、例えば、キャリアシンボル内デインターリーブ部３５１は、図５４に示すテーブルを用いて、１２０ビット単位のデータに対してデインターリーブ処理を施すように構成されている。
【０１９６】
変調方式としてＵＣが適用されている１０２４ＱＡＭが用いられている場合で、且つ、符号化率ｒが８／１５（ＡＲＩＢ  ＳＴＤ−Ｂ４４における符号化率ｒ＝６１／１２０と同一）である場合、例えば、キャリアシンボル内デインターリーブ部３５１は、図５５に示すテーブルを用いて、１２０ビット単位のデータに対してデインターリーブ処理を施すように構成されている。
【０１９７】
変調方式としてＵＣが適用されている１０２４ＱＡＭが用いられている場合で、且つ、符号化率ｒが９／１５（ＡＲＩＢ  ＳＴＤ−Ｂ４４における符号化率ｒ＝７３／１２０と同一）である場合、例えば、キャリアシンボル内デインターリーブ部３５１は、図５６に示すテーブルを用いて、１２０ビット単位のデータに対してデインターリーブ処理を施すように構成されている。
【０１９８】
変調方式としてＵＣが適用されている１０２４ＱＡＭが用いられている場合で、且つ、符号化率ｒが１０／１５（ＡＲＩＢ  ＳＴＤ−Ｂ４４における符号化率ｒ＝８１／１２０と同一）である場合、例えば、キャリアシンボル内デインターリーブ部３５１は、図５７に示すテーブルを用いて、１２０ビット単位のデータに対してデインターリーブ処理を施すように構成されている。
【０１９９】
変調方式としてＵＣが適用されている１０２４ＱＡＭが用いられている場合で、且つ、符号化率ｒが１１／１５（ＡＲＩＢ  ＳＴＤ−Ｂ４４における符号化率ｒ＝８９／１２０と同一）である場合、例えば、キャリアシンボル内デインターリーブ部３５１は、図５８に示すテーブルを用いて、１２０ビット単位のデータに対してデインターリーブ処理を施すように構成されている。
【０２００】
変調方式としてＵＣが適用されている１０２４ＱＡＭが用いられている場合で、且つ、符号化率ｒが１２／１５（ＡＲＩＢ  ＳＴＤ−Ｂ４４における符号化率ｒ＝９７／１２０と同一）である場合、例えば、キャリアシンボル内デインターリーブ部３５１は、図５９に示すテーブルを用いて、１２０ビット単位のデータに対してデインターリーブ処理を施すように構成されている。
【０２０１】
変調方式としてＵＣが適用されている１０２４ＱＡＭが用いられている場合で、且つ、符号化率ｒが１３／１５（ＡＲＩＢ  ＳＴＤ−Ｂ４４における符号化率ｒ＝１０５／１２０と同一）である場合、例えば、キャリアシンボル内デインターリーブ部３５１は、図６０に示すテーブルを用いて、１２０ビット単位のデータに対してデインターリーブ処理を施すように構成されている。
【０２０２】
変調方式としてＮＵＣが適用されている１０２４ＱＡＭが用いられている場合で、且つ、符号化率ｒが５／１５（ＡＲＩＢ  ＳＴＤ−Ｂ４４における符号化率ｒ＝４１／１２０と同一）である場合、例えば、キャリアシンボル内デインターリーブ部３５１は、図６１に示すテーブルを用いて、１２０ビット単位のデータに対してデインターリーブ処理を施すように構成されている。
【０２０３】
変調方式としてＮＵＣが適用されている１０２４ＱＡＭが用いられている場合で、且つ、符号化率ｒが６／１５（ＡＲＩＢ  ＳＴＤ−Ｂ４４における符号化率ｒ＝４９／１２０と同一）である場合、例えば、キャリアシンボル内デインターリーブ部３５１は、図６２に示すテーブルを用いて、１２０ビット単位のデータに対してデインターリーブ処理を施すように構成されている。
【０２０４】
変調方式としてＮＵＣが適用されている１０２４ＱＡＭが用いられている場合で、且つ、符号化率ｒが８／１５（ＡＲＩＢ  ＳＴＤ−Ｂ４４における符号化率ｒ＝６１／１２０と同一）である場合、例えば、キャリアシンボル内デインターリーブ部３５１は、図６３に示すテーブルを用いて、１２０ビット単位のデータに対してデインターリーブ処理を施すように構成されている。
【０２０５】
変調方式としてＮＵＣが適用されている１０２４ＱＡＭが用いられている場合で、且つ、符号化率ｒが９／１５（ＡＲＩＢ  ＳＴＤ−Ｂ４４における符号化率ｒ＝７３／１２０と同一）である場合、例えば、キャリアシンボル内デインターリーブ部３５１は、図６４に示すテーブルを用いて、１２０ビット単位のデータに対してデインターリーブ処理を施すように構成されている。
【０２０６】
変調方式としてＮＵＣが適用されている１０２４ＱＡＭが用いられている場合で、且つ、符号化率ｒが１０／１５（ＡＲＩＢ  ＳＴＤ−Ｂ４４における符号化率ｒ＝８１／１２０と同一）である場合、例えば、キャリアシンボル内デインターリーブ部３５１は、図６５に示すテーブルを用いて、１２０ビット単位のデータに対してデインターリーブ処理を施すように構成されている。
【０２０７】
変調方式としてＮＵＣが適用されている１０２４ＱＡＭが用いられている場合で、且つ、符号化率ｒが１１／１５（ＡＲＩＢ  ＳＴＤ−Ｂ４４における符号化率ｒ＝８９／１２０と同一）である場合、例えば、キャリアシンボル内デインターリーブ部３５１は、図６６に示すテーブルを用いて、１２０ビット単位のデータに対してデインターリーブ処理を施すように構成されている。
【０２０８】
変調方式としてＮＵＣが適用されている１０２４ＱＡＭが用いられている場合で、且つ、符号化率ｒが１２／１５（ＡＲＩＢ  ＳＴＤ−Ｂ４４における符号化率ｒ＝９７／１２０と同一）である場合、例えば、キャリアシンボル内デインターリーブ部３５１は、図６７に示すテーブルを用いて、１２０ビット単位のデータに対してデインターリーブ処理を施すように構成されている。
【０２０９】
変調方式としてＮＵＣが適用されている１０２４ＱＡＭが用いられている場合で、且つ、符号化率ｒが１３／１５（ＡＲＩＢ  ＳＴＤ−Ｂ４４における符号化率ｒ＝１０５／１２０と同一）である場合、例えば、キャリアシンボル内デインターリーブ部３５１は、図６８に示すテーブルを用いて、１２０ビット単位のデータに対してデインターリーブ処理を施すように構成されている。
【０２１０】
変調方式としてＵＣが適用されている４０９６ＱＡＭが用いられている場合で、且つ、符号化率ｒが５／１５（ＡＲＩＢ  ＳＴＤ−Ｂ４４における符号化率ｒ＝４１／１２０と同一）である場合、例えば、キャリアシンボル内デインターリーブ部３５１は、図６９に示すテーブルを用いて、１２０ビット単位のデータに対してデインターリーブ処理を施すように構成されている。
【０２１１】
変調方式としてＵＣが適用されている４０９６ＱＡＭが用いられている場合で、且つ、符号化率ｒが６／１５（ＡＲＩＢ  ＳＴＤ−Ｂ４４における符号化率ｒ＝４９／１２０と同一）である場合、例えば、キャリアシンボル内デインターリーブ部３５１は、図７０に示すテーブルを用いて、１２０ビット単位のデータに対してデインターリーブ処理を施すように構成されている。
【０２１２】
変調方式としてＵＣが適用されている４０９６ＱＡＭが用いられている場合で、且つ、符号化率ｒが８／１５（ＡＲＩＢ  ＳＴＤ−Ｂ４４における符号化率ｒ＝６１／１２０と同一）である場合、例えば、キャリアシンボル内デインターリーブ部３５１は、図７１に示すテーブルを用いて、１２０ビット単位のデータに対してデインターリーブ処理を施すように構成されている。
【０２１３】
変調方式としてＵＣが適用されている４０９６ＱＡＭが用いられている場合で、且つ、符号化率ｒが９／１５（ＡＲＩＢ  ＳＴＤ−Ｂ４４における符号化率ｒ＝７３／１２０と同一）である場合、例えば、キャリアシンボル内デインターリーブ部３５１は、図７２に示すテーブルを用いて、１２０ビット単位のデータに対してデインターリーブ処理を施すように構成されている。
【０２１４】
変調方式としてＵＣが適用されている４０９６ＱＡＭが用いられている場合で、且つ、符号化率ｒが１０／１５（ＡＲＩＢ  ＳＴＤ−Ｂ４４における符号化率ｒ＝８１／１２０と同一）である場合、例えば、キャリアシンボル内デインターリーブ部３５１は、図７３に示すテーブルを用いて、１２０ビット単位のデータに対してデインターリーブ処理を施すように構成されている。
【０２１５】
変調方式としてＵＣが適用されている４０９６ＱＡＭが用いられている場合で、且つ、符号化率ｒが１１／１５（ＡＲＩＢ  ＳＴＤ−Ｂ４４における符号化率ｒ＝８９／１２０と同一）である場合、例えば、キャリアシンボル内デインターリーブ部３５１は、図７４に示すテーブルを用いて、１２０ビット単位のデータに対してデインターリーブ処理を施すように構成されている。
【０２１６】
変調方式としてＵＣが適用されている４０９６ＱＡＭが用いられている場合で、且つ、符号化率ｒが１２／１５（ＡＲＩＢ  ＳＴＤ−Ｂ４４における符号化率ｒ＝９７／１２０と同一）である場合、例えば、キャリアシンボル内デインターリーブ部３５１は、図７５に示すテーブルを用いて、１２０ビット単位のデータに対してデインターリーブ処理を施すように構成されている。
【０２１７】
変調方式としてＵＣが適用されている４０９６ＱＡＭが用いられている場合で、且つ、符号化率ｒが１３／１５（ＡＲＩＢ  ＳＴＤ−Ｂ４４における符号化率ｒ＝１０５／１２０と同一）である場合、例えば、キャリアシンボル内デインターリーブ部３５１は、図７６に示すテーブルを用いて、１２０ビット単位のデータに対してデインターリーブ処理を施すように構成されている。
【０２１８】
変調方式としてＮＵＣが適用されている４０９６ＱＡＭが用いられている場合で、且つ、符号化率ｒが５／１５（ＡＲＩＢ  ＳＴＤ−Ｂ４４における符号化率ｒ＝４１／１２０と同一）である場合、例えば、キャリアシンボル内デインターリーブ部３５１は、図７７に示すテーブルを用いて、１２０ビット単位のデータに対してデインターリーブ処理を施すように構成されている。
【０２１９】
変調方式としてＮＵＣが適用されている４０９６ＱＡＭが用いられている場合で、且つ、符号化率ｒが６／１５（ＡＲＩＢ  ＳＴＤ−Ｂ４４における符号化率ｒ＝４９／１２０と同一）である場合、例えば、キャリアシンボル内デインターリーブ部３５１は、図７８に示すテーブルを用いて、１２０ビット単位のデータに対してデインターリーブ処理を施すように構成されている。
【０２２０】
変調方式としてＮＵＣが適用されている４０９６ＱＡＭが用いられている場合で、且つ、符号化率ｒが８／１５（ＡＲＩＢ  ＳＴＤ−Ｂ４４における符号化率ｒ＝６１／１２０と同一）である場合、例えば、キャリアシンボル内デインターリーブ部３５１は、図７９に示すテーブルを用いて、１２０ビット単位のデータに対してデインターリーブ処理を施すように構成されている。
【０２２１】
変調方式としてＮＵＣが適用されている４０９６ＱＡＭが用いられている場合で、且つ、符号化率ｒが９／１５（ＡＲＩＢ  ＳＴＤ−Ｂ４４における符号化率ｒ＝７３／１２０と同一）である場合、例えば、キャリアシンボル内デインターリーブ部３５１は、図８０に示すテーブルを用いて、１２０ビット単位のデータに対してデインターリーブ処理を施すように構成されている。
【０２２２】
変調方式としてＮＵＣが適用されている４０９６ＱＡＭが用いられている場合で、且つ、符号化率ｒが１０／１５（ＡＲＩＢ  ＳＴＤ−Ｂ４４における符号化率ｒ＝８１／１２０と同一）である場合、例えば、キャリアシンボル内デインターリーブ部３５１は、図８１に示すテーブルを用いて、１２０ビット単位のデータに対してデインターリーブ処理を施すように構成されている。
【０２２３】
変調方式としてＮＵＣが適用されている４０９６ＱＡＭが用いられている場合で、且つ、符号化率ｒが１１／１５（ＡＲＩＢ  ＳＴＤ−Ｂ４４における符号化率ｒ＝８９／１２０と同一）である場合、例えば、キャリアシンボル内デインターリーブ部３５１は、図８２に示すテーブルを用いて、１２０ビット単位のデータに対してデインターリーブ処理を施すように構成されている。
【０２２４】
変調方式としてＮＵＣが適用されている４０９６ＱＡＭが用いられている場合で、且つ、符号化率ｒが１２／１５（ＡＲＩＢ  ＳＴＤ−Ｂ４４における符号化率ｒ＝９７／１２０と同一）である場合、例えば、キャリアシンボル内デインターリーブ部３５１は、図８３に示すテーブルを用いて、１２０ビット単位のデータに対してデインターリーブ処理を施すように構成されている。
【０２２５】
変調方式としてＮＵＣが適用されている４０９６ＱＡＭが用いられている場合で、且つ、符号化率ｒが１３／１５（ＡＲＩＢ  ＳＴＤ−Ｂ４４における符号化率ｒ＝１０５／１２０と同一）である場合、例えば、キャリアシンボル内デインターリーブ部３５１は、図８４に示すテーブルを用いて、１２０ビット単位のデータに対してデインターリーブ処理を施すように構成されている。
【０２２６】
ブロックデインターリーブ部３５２は、キャリアシンボル内デインターリーブ部３５１から入力された所定単位のデータ全体に対してデインターリーブ処理を施すように構成されている。
【０２２７】
パリティデインターリーブ部３５３は、ブロックデインターリーブ部３５２から入力された所定単位のデータのＬＤＰＣパリティに対応する部分に対してのみデインターリーブ処理を施すように構成されている。
【０２２８】
ＬＤＰＣ復号部３６ａは、ビットデインターリーブ部３５ａからの出力に対してＬＤＰＣ符号を用いた復号処理を施すように構成されている。
【０２２９】
ＢＣＨ復号部３７ａは、ＬＤＰＣ復号部３６ａからの出力に対してＢＣＨ符号を用いた復号処理を施すように構成されている。
【０２３０】
エネルギー逆拡散部３８ａは、ＢＣＨ復号部３７ａからの出力に対してエネルギー逆拡散処理を施すように構成されている。
【０２３１】
ＦＥＣブロック逆変換部３９ａは、エネルギー逆拡散部３８ａから出力されたＦＥＣブロックをＡ階層データに変換するように構成されている。
【０２３２】
フレームヘッダ挿入部４１ａは、ＦＥＣブロック逆変換部３９ａから出力されたＡ階層データに対してフレームヘッダ復号部４０ａから出力されたフレームのヘッダを挿入するように構成されている。
【０２３３】
上述したように、ＬＤＰＣ復号部３６ａ、ＢＣＨ復号部３７ａ、エネルギー逆拡散部３８ａ、ＦＥＣブロック逆変換部３９ａ、フレームヘッダ挿入部４１ａは、Ａ階層について処理を行う。
【０２３４】
同様に、ＬＤＰＣ復号部３６ｂ、ＢＣＨ復号部３７ｂ、エネルギー逆拡散部３８ｂ、ＦＥＣブロック逆変換部３９ｂ、フレームヘッダ挿入部４１ｂはＢ階層について処理を行うが、処理内容は、Ａ階層についての処理と同様であるため、説明を省略する。
【０２３５】
（コンスタレーション）
次に、本実施形態に係るコンスタレーション、特に、不均一コンスタレーションについて説明する。
【０２３６】
マッピング部１８ａ／１８ｂは、キャリア変調方式の種類に対応するテーブルに従って、各信号点（シンボル）のＩ軸上の配置（コンスタレーション）及びＱ軸上の配置を決定するように構成されている。
【０２３７】
なお、マッピング部１８ａ／１８ｂは、コンスタレーションとして、均一コンスタレーション（ＵＣ：Ｕｎｉｆｏｒｍ  Ｃｏｎｓｔｅｌｌａｔｉｏｎ）及び不均一コンスタレーション（ＮＵＣ：Ｎｏｎ−Ｕｎｉｆｏｒｍ  Ｃｏｎｓｔｅｌｌａｔｉｏｎ）のいずれも用いることができるように構成されている。
【０２３８】
ここで、マッピング部１８ａ／１８ｂは、ＱＰＳＫ（Ｑｕａｄｒａｔｕｒｅ  Ｐｈａｓｅ  Ｓｈｉｆｔ  Ｋｅｙｉｎｇ）や１６ＱＡＭや６４ＱＡＭや２５６ＱＡＭや１０２４ＱＡＭや４０９６ＱＡＭのキャリア変調方式に対応しており、ＥＴＳＩ−ＥＮ３０２７６９の第６．２．２節の「Ｃｅｌｌ  ｗｏｒｄ  ｍａｐｐｉｎｇ  ｉｎｔｏ  Ｉ／Ｏ  ｃｏｎｓｔｅｌｌａｔｉｏｎｓ」のグレイ・コード配置が用いられている均一コンスタレーションを用いるように構成されていてもよい。
【０２３９】
一方、マッピング部１８ａ／１８ｂは、以下に示すように、不均一コンスタレーションを用いるように構成されていてもよい。
【０２４０】
例えば、マッピング部１８ａ／１８ｂは、キャリア変調方式として１６ＱＡＭが用いられる場合で、且つ、符号化率が５／１５（ＡＲＩＢ  ＳＴＤ−Ｂ４４における符号化率ｒ＝４１／１２０と同一）である場合に、
【表３】
2019071599.tif 000007
に従って、各信号点のＩ軸上の配置及びＱ軸上の配置を決定するように構成されていてもよい。図８７に、かかる場合の各信号点のＩ軸上の配置及びＱ軸上の配置を示す。
【０２４１】
なお、「符号化率が５／１５（ＡＲＩＢ  ＳＴＤ−Ｂ４４における符号化率ｒ＝４１／１２０と同一）である場合」とは、符号化率５／１５の誤り訂正符号としてＡＲＩＢ  ＳＴＤ−Ｂ４４における符号化率ｒ＝４１／１２０のＬＤＰＣ符号を用いる場合を意味する。すなわち、かかる記載は、符号化率が厳密に５／１５であることに限定するものではない。以下で述べる他の符号化率についても同様である。
【０２４２】
また、マッピング部１８ａ／１８ｂは、キャリア変調方式として１６ＱＡＭが用いられる場合で、且つ、符号化率が６／１５（ＡＲＩＢ  ＳＴＤ−Ｂ４４における符号化率ｒ＝４９／１２０と同一）である場合に、
【表４】
2019071599.tif 000008
に従って、各信号点のＩ軸上の配置及びＱ軸上の配置を決定するように構成されていてもよい。図８８に、かかる場合の各信号点のＩ軸上の配置及びＱ軸上の配置を示す。
【０２４３】
また、マッピング部１８ａ／１８ｂは、キャリア変調方式として１６ＱＡＭが用いられる場合で、且つ、符号化率が８／１５（ＡＲＩＢ  ＳＴＤ−Ｂ４４における符号化率ｒ＝６１／１２０と同一）である場合に、
【表５】
2019071599.tif 000009
に従って、各信号点のＩ軸上の配置及びＱ軸上の配置を決定するように構成されていてもよい。図８９に、かかる場合の各信号点のＩ軸上の配置及びＱ軸上の配置を示す。
【０２４４】
また、マッピング部１８ａ／１８ｂは、キャリア変調方式として１６ＱＡＭが用いられる場合で、且つ、符号化率が９／１５（ＡＲＩＢ  ＳＴＤ−Ｂ４４における符号化率ｒ＝７３／１２０と同一）である場合に、
【表６】
2019071599.tif 000010
に従って、各信号点のＩ軸上の配置及びＱ軸上の配置を決定するように構成されていてもよい。図９０に、かかる場合の各信号点のＩ軸上の配置及びＱ軸上の配置を示す。
【０２４５】
また、マッピング部１８ａ／１８ｂは、キャリア変調方式として１６ＱＡＭが用いられる場合で、且つ、符号化率が１０／１５（ＡＲＩＢ  ＳＴＤ−Ｂ４４における符号化率ｒ＝８１／１２０と同一）である場合に、
【表７】
2019071599.tif 000011
に従って、各信号点のＩ軸上の配置及びＱ軸上の配置を決定するように構成されていてもよい。図９１に、かかる場合の各信号点のＩ軸上の配置及びＱ軸上の配置を示す。
【０２４６】
また、マッピング部１８ａ／１８ｂは、キャリア変調方式として１６ＱＡＭが用いられる場合で、且つ、符号化率が１１／１５（ＡＲＩＢ  ＳＴＤ−Ｂ４４における符号化率ｒ＝８９／１２０と同一）である場合に、
【表８】
2019071599.tif 000012
に従って、各信号点のＩ軸上の配置及びＱ軸上の配置を決定するように構成されていてもよい。図９２に、かかる場合の各信号点のＩ軸上の配置及びＱ軸上の配置を示す。
【０２４７】
また、マッピング部１８ａ／１８ｂは、キャリア変調方式として１６ＱＡＭが用いられる場合で、且つ、符号化率が１２／１５（ＡＲＩＢ  ＳＴＤ−Ｂ４４における符号化率ｒ＝９７／１２０と同一）である場合に、
【表９】
2019071599.tif 000013
に従って、各信号点のＩ軸上の配置及びＱ軸上の配置を決定するように構成されていてもよい。図９３に、かかる場合の各信号点のＩ軸上の配置及びＱ軸上の配置を示す。
【０２４８】
また、マッピング部１８ａ／１８ｂは、キャリア変調方式として１６ＱＡＭが用いられる場合で、且つ、符号化率が１３／１５（ＡＲＩＢ  ＳＴＤ−Ｂ４４における符号化率ｒ＝１０５／１２０と同一）である場合に、
【表１０】
2019071599.tif 000014
に従って、各信号点のＩ軸上の配置及びＱ軸上の配置を決定するように構成されていてもよい。図９４に、かかる場合の各信号点のＩ軸上の配置及びＱ軸上の配置を示す。
【０２４９】
また、マッピング部１８ａ／１８ｂは、キャリア変調方式として６４ＱＡＭが用いられる場合で、且つ、符号化率が５／１５である場合に、
【表１１】
2019071599.tif 000015
に従って、各信号点のＩ軸上の配置及びＱ軸上の配置を決定するように構成されていてもよい。図９５に、かかる場合の各信号点のＩ軸上の配置及びＱ軸上の配置を示す。
【０２５０】
また、マッピング部１８ａ／１８ｂは、キャリア変調方式として６４ＱＡＭが用いられる場合で、且つ、符号化率が６／１５である場合に、
【表１２】
2019071599.tif 000016
に従って、各信号点のＩ軸上の配置及びＱ軸上の配置を決定するように構成されていてもよい。図９６に、かかる場合の各信号点のＩ軸上の配置及びＱ軸上の配置を示す。
【０２５１】
また、マッピング部１８ａ／１８ｂは、キャリア変調方式として６４ＱＡＭが用いられる場合で、且つ、符号化率が８／１５である場合に、
【表１３】
2019071599.tif 000017
に従って、各信号点のＩ軸上の配置及びＱ軸上の配置を決定するように構成されていてもよい。図９７に、かかる場合の各信号点のＩ軸上の配置及びＱ軸上の配置を示す。
【０２５２】
また、マッピング部１８ａ／１８ｂは、キャリア変調方式として６４ＱＡＭが用いられる場合で、且つ、符号化率が９／１５である場合に、
【表１４】
2019071599.tif 000018
に従って、各信号点のＩ軸上の配置及びＱ軸上の配置を決定するように構成されていてもよい。図９８に、かかる場合の各信号点のＩ軸上の配置及びＱ軸上の配置を示す。
【０２５３】
また、マッピング部１８ａ／１８ｂは、キャリア変調方式として６４ＱＡＭが用いられる場合で、且つ、符号化率が１０／１５である場合に、
【表１５】
2019071599.tif 000019
に従って、各信号点のＩ軸上の配置及びＱ軸上の配置を決定するように構成されていてもよい。図９９に、かかる場合の各信号点のＩ軸上の配置及びＱ軸上の配置を示す。
【０２５４】
また、マッピング部１８ａ／１８ｂは、キャリア変調方式として６４ＱＡＭが用いられる場合で、且つ、符号化率が１１／１５である場合に、
【表１６】
2019071599.tif 000020
に従って、各信号点のＩ軸上の配置及びＱ軸上の配置を決定するように構成されていてもよい。図１００に、かかる場合の各信号点のＩ軸上の配置及びＱ軸上の配置を示す。
【０２５５】
また、マッピング部１８ａ／１８ｂは、キャリア変調方式として６４ＱＡＭが用いられる場合で、且つ、符号化率が１２／１５である場合に、
【表１７】
2019071599.tif 000021
に従って、各信号点のＩ軸上の配置及びＱ軸上の配置を決定するように構成されていてもよい。図１０１に、かかる場合の各信号点のＩ軸上の配置及びＱ軸上の配置を示す。
【０２５６】
また、マッピング部１８ａ／１８ｂは、キャリア変調方式として２５６ＱＡＭが用いられる場合で、且つ、符号化率が５／１５である場合に、
【表１８】
2019071599.tif 000022
に従って、各信号点のＩ軸上の配置及びＱ軸上の配置を決定するように構成されていてもよい。図１０２に、かかる場合の各信号点のＩ軸上の配置及びＱ軸上の配置を示す。
【０２５７】
また、マッピング部１８ａ／１８ｂは、キャリア変調方式として２５６ＱＡＭが用いられる場合で、且つ、符号化率が６／１５である場合に、
【表１９】
2019071599.tif 000023
に従って、各信号点のＩ軸上の配置及びＱ軸上の配置を決定するように構成されていてもよい。図１０３に、かかる場合の各信号点のＩ軸上の配置及びＱ軸上の配置を示す。
【０２５８】
また、マッピング部１８ａ／１８ｂは、キャリア変調方式として２５６ＱＡＭが用いられる場合で、且つ、符号化率が８／１５である場合に、
【表２０】
2019071599.tif 000024
に従って、各信号点のＩ軸上の配置及びＱ軸上の配置を決定するように構成されていてもよい。図１０４に、かかる場合の各信号点のＩ軸上の配置及びＱ軸上の配置を示す。
【０２５９】
また、マッピング部１８ａ／１８ｂは、キャリア変調方式として２５６ＱＡＭが用いられる場合で、且つ、符号化率が９／１５である場合に、
【表２１】
2019071599.tif 000025
に従って、各信号点のＩ軸上の配置及びＱ軸上の配置を決定するように構成されていてもよい。図１０５に、かかる場合の各信号点のＩ軸上の配置及びＱ軸上の配置を示す。
【０２６０】
また、マッピング部１８ａ／１８ｂは、キャリア変調方式として２５６ＱＡＭが用いられる場合で、且つ、符号化率が１０／１５である場合に、
【表２２】
2019071599.tif 000026
に従って、各信号点のＩ軸上の配置及びＱ軸上の配置を決定するように構成されていてもよい。図１０６に、かかる場合の各信号点のＩ軸上の配置及びＱ軸上の配置を示す。
【０２６１】
また、マッピング部１８ａ／１８ｂは、キャリア変調方式として２５６ＱＡＭが用いられる場合で、且つ、符号化率が１１／１５である場合に、
【表２３】
2019071599.tif 000027
に従って、各信号点のＩ軸上の配置及びＱ軸上の配置を決定するように構成されていてもよい。図１０７に、かかる場合の各信号点のＩ軸上の配置及びＱ軸上の配置を示す。
【０２６２】
また、マッピング部１８ａ／１８ｂは、キャリア変調方式として２５６ＱＡＭが用いられる場合で、且つ、符号化率が１３／１５である場合に、
【表２４】
2019071599.tif 000028
に従って、各信号点のＩ軸上の配置及びＱ軸上の配置を決定するように構成されていてもよい。図１０８に、かかる場合の各信号点のＩ軸上の配置及びＱ軸上の配置を示す。
【０２６３】
以下、図１０９〜図１１１を参照して、キャリア変調方式として１０２４ＱＡＭ及び４０９６ＱＡＭが用いられる場合の各信号点のＩ軸上の配置及びＱ軸上の配置の決定方法について説明する。
【０２６４】
第１に、マッピング部１８ａ／１８ｂは、キャリア変調方式として１０２４ＱＡＭが用いられている場合、図１０９〜図１１１に示すテーブルを用いて、各信号点のＩ軸上の配置及びＱ軸上の配置を決定するように構成されている。
【０２６５】
図１０９に示すテーブルは、符号化率が５／１５、６／１５、９／１５、１０／１５、１１／１５、１２／１５及び１３／１５の場合のｕ０〜ｕ１５の値を規定している。
【０２６６】
また、図１１０は、入力シンボルの実数部分の配置（Ｉ軸上の配置）を示すｕの値を規定しており、図１１１は、入力シンボルの虚数部分の配置（Ｑ軸上の配置）を示すｕの値を規定している。
【０２６７】
具体的には、マッピング部１８ａ／１８ｂは、図１１０及び図１１１を参照して、入力シンボルの実数部分の配置を示すｕの値及び入力シンボルの虚数部分の配置を示すｕの値を算出し、図１０９を参照して、これらのｕの値に対応する入力シンボルのＩ軸上の配置（実数部分の配置）及びＱ軸上の配置（虚数部分の配置）を決定するように構成されている。
【０２６８】
例えば、入力シンボルを構成するビットｙ０，ｓ〜ｙ９，ｓが（００１００１１１００）である場合、かかる入力シンボルの実数部分の配置を示すｕの値は、図１１０においてビットｙ０，ｓ〜ｙ９，ｓの偶数ビット（ｙ０，ｓ、ｙ２，ｓ、ｙ４，ｓ、ｙ６，ｓ、ｙ８，ｓ）＝（０１０１０）に対応するｕ３であり、かかる入力シンボルの虚数部分の配置を示すｕの値は、図１１１においてビットｙ０，ｓ〜ｙ９，ｓの奇数ビット（ｙ１，ｓ、ｙ３，ｓ、ｙ５，ｓ、ｙ７，ｓ、ｙ９，ｓ）＝（００１１０）に対応するｕ１１である。
【０２６９】
その結果、マッピング部１８ａ／１８ｂは、キャリア変調方式として１０２４ＱＡＭが用いられる場合で、且つ、符号化率が５／１５である場合に、入力シンボル（００１００１１１００）のＩ軸上の配置を「０．１２７５（図１０９におけるｕ３に対応）」とし、入力シンボル（００１００１１１００）のＱ軸上の配置を「０．６９３４（図１０９におけるｕ１１に対応）」とするように構成されている。
【０２７０】
第２に、マッピング部１８ａ／１８ｂは、キャリア変調方式として４０９６ＱＡＭが用いられている場合、図１１２〜図１１４に示すテーブルを用いて、各信号点のＩ軸上の配置及びＱ軸上の配置を決定するように構成されている。
【０２７１】
図１１２に示すテーブルは、符号化率が６／１５、８／１５、９／１５、１０／１５、１１／１５、１２／１５及び１３／１５の場合のｕ０〜ｕ３１の値を規定している。
【０２７２】
また、図１１３は、入力シンボルの実数部分の配置（Ｉ軸上の配置）を示すｕの値を規定しており、図１１４は、入力シンボルの虚数部分の配置（Ｑ軸上の配置）を示すｕの値を規定している。
【０２７３】
具体的には、マッピング部１８ａ／１８ｂは、図１１３及び図１１４を参照して、入力シンボルの実数部分の配置を示すｕの値及び入力シンボルの虚数部分の配置を示すｕの値を算出し、図２７を参照して、これらのｕの値に対応する入力シンボルのＩ軸上の配置（実数部分の配置）及びＱ軸上の配置（虚数部分の配置）を決定するように構成されている。
【０２７４】
例えば、入力シンボルを構成するビットｙ０，ｓ〜ｙ１１，ｓが（００１０１００１１１００）である場合、かかる入力シンボルの実数部分の配置を示すｕの値は、図１１３においてビットｙ０，ｓ〜ｙ１１，ｓの偶数ビット（ｙ０，ｓ、ｙ２，ｓ、ｙ４，ｓ、ｙ６，ｓ、ｙ８，ｓ、ｙ１０，ｓ）＝（０１１０１０）に対応するｕ１２であり、かかる入力シンボルの虚数部分の配置を示すｕの値は、図１１４においてビットｙ０，ｓ〜ｙ１１，ｓの奇数ビット（ｙ１，ｓ、ｙ３，ｓ、ｙ５，ｓ、ｙ７，ｓ、ｙ９，ｓ、ｙ１１，ｓ）＝（０００１１０）に対応するｕ２７である。
【０２７５】
その結果、マッピング部１８ａ／１８ｂは、キャリア変調方式として４０９６ＱＡＭが用いられる場合で、且つ、符号化率が１１／１５である場合に、入力シンボル（００１０１００１１１００）のＩ軸上の配置を「０．４００１（図１１２におけるｕ１２に対応）」とし、入力シンボル（００１０１００１１１００）のＱ軸上の配置を「１．１０１９（図１１２におけるｕ２７に対応）」とするように構成されている。
【０２７６】
受信側において、デマッピング部３３ａは、データキャリアからＡ階層データをデマッピングするように構成されており、デマッピング部３３ｂは、データキャリアからＢ階層データをデマッピングするように構成されている。
【０２７７】
デマッピング部３３ａ／３３ｂは、上述のマッピング部１８ａ／１８ｂと同様の方法で、キャリア変調方式の種類に対応するテーブルに従って、各信号点（シンボル）のＩ軸上の配置（コンスタレーション）及びＱ軸上の配置を決定するように構成されている。
【０２７８】
（実施形態の効果）
本実施形態に係る放送システムによれば、例えば、ＯＦＤＭ方式に、ＡＲＩＢ  ＳＴＤ−Ｂ４４で規定されたＬＤＰＣ符号の検査行列を組み込んだ場合に最適な効果を得ることができる。
【０２７９】
以下において、図１１５〜図１３４を用いて、本実施形態の効果をシミュレーション結果によって示す。ビットインターリーブ及びデインターリーブにおいて、上述した実施形態のテーブルを用いる。上述した実施形態の各インターリーブテーブルをまとめたものを以下に示す。
【表２５】
2019071599.tif 000029
【０２８０】
また、変調方式におけるシンボル座標として以下に示すシンボル座標を用いる。
【表２６】
2019071599.tif 000030
【０２８１】
ここで、「※１」は、ＥＴＳＩ−ＥＮ３０２７６９の第６．２．２節の「Ｃｅｌｌ  ｗｏｒｄ  ｍａｐｐｉｎｇ  ｉｎｔｏ  Ｉ／Ｏ  ｃｏｎｓｔｅｌｌａｔｉｏｎｓ」のグレイ・コード配置が用いられている均一コンスタレーションを用いることを意味する。
【０２８２】
また、「※２」は、ＡＴＳＣ３．０規格書（ＡＴＳＣ  Ｓｔａｎｄａｒｄ：  Ｐｈｙｓｉｃａｌ  Ｌａｙｅｒ  Ｐｒｏｔｏｃｏｌ  （Ａ／３２２））に記載の不均一コンスタレーションを用いることを意味する。
【０２８３】
図１１５〜図１３４に示すグラフ（シミュレーション結果）は、本実施形態のビットインターリーブを用いた場合と本実施形態のビットインターリーブを用いない場合とを対比して示すものである。各グラフをまとめたものを以下に示す。
【表２７】
2019071599.tif 000031
【０２８４】
図１１５〜図１３４に示すように、本実施形態のビットインターリーブを用いることにより、本実施形態のビットインターリーブを用いない場合に比べてビット誤り率（ＢＥＲ）が低下しており、良好なＢＥＲ改善効果が得られていることが分かる。
【０２８５】
（その他の実施形態）
上述のように、本発明について、上述した実施形態によって説明したが、かかる実施形態における開示の一部をなす論述及び図面は、本発明を限定するものであると理解すべきではない。かかる開示から当業者には様々な代替実施形態、実施例及び運用技術が明らかとなろう。
【０２８６】
また、上述の実施形態では、２階層までの階層伝送を行うケースを例に挙げて説明したが、本発明は、かかるケースに限定されることなく、３階層までの階層伝送を行うケースにも適用可能である。
【０２８７】
また、上述の実施形態では、信号としてＯＦＤＭ信号が用いられるケースを例に挙げて説明したが、本発明は、かかるケースに限定されることなく、他の信号が用いられるケースにも適用可能である。
【０２８８】
また、上述の実施形態では特に触れていないが、上述の送信装置１及び受信装置３によって行われる各処理をコンピュータに実行させるプログラムが提供されてもよい。また、かかるプログラムは、コンピュータ読取り可能媒体に記録されていてもよい。コンピュータ読取り可能媒体を用いれば、かかるプログラムをコンピュータにインストールすることが可能である。ここで、かかるプログラムが記録されたコンピュータ読取り可能媒体は、非一過性の記録媒体であってもよい。非一過性の記録媒体は、特に限定されるものではないが、例えば、ＣＤ−ＲＯＭやＤＶＤ−ＲＯＭ等の記録媒体であってもよい。
【０２８９】
或いは、上述の送信装置１及び受信装置３内の少なくとも一部の機能を実現するためのプログラムを記憶するメモリ及びメモリに記憶されたプログラムを実行するプロセッサによって構成されるチップが提供されてもよい。
【符号の説明】
【０２９０】
１…送信装置
１１ａ、１１ｂ…フレームヘッダ分離部
１２ａ、１２ｂ…ＦＥＣブロック変換部
１３ａ、１３ｂ…エネルギー拡散部
１４ａ、１４ｂ…ＢＣＨ符号化部
１５ａ、１５ｂ…ＬＤＰＣ符号化部
１６ａ、１６ｂ…ビットインターリーブ部
１６１…パリティインターリーブ部
１６２…ブロックインターリーブ部
１６３…キャリアシンボル内インターリーブ部
１７ａ、１７ｂ…フレームヘッダ挿入部
１８ａ、１８ｂ…マッピング部
１９ａ、１９ｂ…レベル調整部
２０ａ、２０ｂ…フレームヘッダ符号化部
２１…階層合成部
３…受信装置
３１…階層分離部
３２ａ、３２ｂ…レベル調整部
３３ａ、３３ｂ…デマッピング部
３４ａ、３４ｂ…フレームヘッダ分離部
３５ａ、３５ｂ…ビットデインターリーブ部
３５１…キャリアシンボル内デインターリーブ部
３５２…ブロックデインターリーブ部
３５３…パリティデインターリーブ部
３６ａ、３６ｂ…ＬＤＰＣ復号部
３７ａ、３７ｂ…ＢＣＨ復号部
３８ａ、３８ｂ…エネルギー逆拡散部
３９ａ、３９ｂ…ＦＥＣブロック逆変換部
４０ａ、４０ｂ…フレームヘッダ復号部
４１ａ、４１ｂ…フレームヘッダ挿入部
【図１】
2019071599.tif 000036
【図２】
2019071599.tif 000037
【図３】
2019071599.tif 000038
【図４】
2019071599.tif 000039
【図５】
2019071599.tif 000040
【図６】
2019071599.tif 000041
【図７】
2019071599.tif 000042
【図８】
2019071599.tif 000043
【図９】
2019071599.tif 000044
【図１０】
2019071599.tif 000045
【図１１】
2019071599.tif 000046
【図１２】
2019071599.tif 000047
【図１３】
2019071599.tif 000048
【図１４】
2019071599.tif 000049
【図１５】
2019071599.tif 000050
【図１６】
2019071599.tif 000051
【図１７】
2019071599.tif 000052
【図１８】
2019071599.tif 000053
【図１９】
2019071599.tif 000054
【図２０】
2019071599.tif 000055
【図２１】
2019071599.tif 000056
【図２２】
2019071599.tif 000057
【図２３】
2019071599.tif 000058
【図２４】
2019071599.tif 000059
【図２５】
2019071599.tif 000060
【図２６】
2019071599.tif 000061
【図２７】
2019071599.tif 000062
【図２８】
2019071599.tif 000063
【図２９】
2019071599.tif 000064
【図３０】
2019071599.tif 000065
【図３１】
2019071599.tif 000066
【図３２】
2019071599.tif 000067
【図３３】
2019071599.tif 000068
【図３４】
2019071599.tif 000069
【図３５】
2019071599.tif 000070
【図３６】
2019071599.tif 000071
【図３７】
2019071599.tif 000072
【図３８】
2019071599.tif 000073
【図３９】
2019071599.tif 000074
【図４０】
2019071599.tif 000075
【図４１】
2019071599.tif 000076
【図４２】
2019071599.tif 000077
【図４３】
2019071599.tif 000078
【図４４】
2019071599.tif 000079
【図４５】
2019071599.tif 000080
【図４６】
2019071599.tif 000081
【図４７】
2019071599.tif 000082
【図４８】
2019071599.tif 000083
【図４９】
2019071599.tif 000084
【図５０】
2019071599.tif 000085
【図５１】
2019071599.tif 000086
【図５２】
2019071599.tif 000087
【図５３】
2019071599.tif 000088
【図５４】
2019071599.tif 000089
【図５５】
2019071599.tif 000090
【図５６】
2019071599.tif 000091
【図５７】
2019071599.tif 000092
【図５８】
2019071599.tif 000093
【図５９】
2019071599.tif 000094
【図６０】
2019071599.tif 000095
【図６１】
2019071599.tif 000096
【図６２】
2019071599.tif 000097
【図６３】
2019071599.tif 000098
【図６４】
2019071599.tif 000099
【図６５】
2019071599.tif 000100
【図６６】
2019071599.tif 000101
【図６７】
2019071599.tif 000102
【図６８】
2019071599.tif 000103
【図６９】
2019071599.tif 000104
【図７０】
2019071599.tif 000105
【図７１】
2019071599.tif 000106
【図７２】
2019071599.tif 000107
【図７３】
2019071599.tif 000108
【図７４】
2019071599.tif 000109
【図７５】
2019071599.tif 000110
【図７６】
2019071599.tif 000111
【図７７】
2019071599.tif 000112
【図７８】
2019071599.tif 000113
【図７９】
2019071599.tif 000114
【図８０】
2019071599.tif 000115
【図８１】
2019071599.tif 000116
【図８２】
2019071599.tif 000117
【図８３】
2019071599.tif 000118
【図８４】
2019071599.tif 000119
【図８５】
2019071599.tif 000120
【図８６】
2019071599.tif 000121
【図８７】
2019071599.tif 000122
【図８８】
2019071599.tif 000123
【図８９】
2019071599.tif 000124
【図９０】
2019071599.tif 000125
【図９１】
2019071599.tif 000126
【図９２】
2019071599.tif 000127
【図９３】
2019071599.tif 000128
【図９４】
2019071599.tif 000129
【図９５】
2019071599.tif 000130
【図９６】
2019071599.tif 000131
【図９７】
2019071599.tif 000132
【図９８】
2019071599.tif 000133
【図９９】
2019071599.tif 000134
【図１００】
2019071599.tif 000135
【図１０１】
2019071599.tif 000136
【図１０２】
2019071599.tif 000137
【図１０３】
2019071599.tif 000138
【図１０４】
2019071599.tif 000139
【図１０５】
2019071599.tif 000140
【図１０６】
2019071599.tif 000141
【図１０７】
2019071599.tif 000142
【図１０８】
2019071599.tif 000143
【図１０９】
2019071599.tif 000144
【図１１０】
2019071599.tif 000145
【図１１１】
2019071599.tif 000146
【図１１２】
2019071599.tif 000147
【図１１３】
2019071599.tif 000148
【図１１４】
2019071599.tif 000149
【図１１５】
2019071599.tif 000150
【図１１６】
2019071599.tif 000151
【図１１７】
2019071599.tif 000152
【図１１８】
2019071599.tif 000153
【図１１９】
2019071599.tif 000154
【図１２０】
2019071599.tif 000155
【図１２１】
2019071599.tif 000156
【図１２２】
2019071599.tif 000157
【図１２３】
2019071599.tif 000158
【図１２４】
2019071599.tif 000159
【図１２５】
2019071599.tif 000160
【図１２６】
2019071599.tif 000161
【図１２７】
2019071599.tif 000162
【図１２８】
2019071599.tif 000163
【図１２９】
2019071599.tif 000164
【図１３０】
2019071599.tif 000165
【図１３１】
2019071599.tif 000166
【図１３２】
2019071599.tif 000167
【図１３３】
2019071599.tif 000168
【図１３４】
2019071599.tif 000169